(57)【要約】 端末がＳＲＳ設定情報を受信する方法は、基地局から前記端末に対して設定された同時送信可能なＳＲＳリソースの数に関する情報を含む前記ＳＲＳ設定情報を受信するステップと、前記ＳＲＳ設定情報に基づいてＳＲＳ送信を行うステップを含むことができる。【選択図】図１５
2020511037.tif 000002
【特許請求の範囲】
【請求項１】
端末がサウンディング参照信号（Ｓｏｕｎｄｉｎｇ  Ｒｅｆｅｒｅｎｃｅ  Ｓｙｍｂｏｌ，ＳＲＳ）設定情報を受信する方法であって、
基地局から前記端末に対して設定された同時送信可能なＳＲＳリソースの数に関する情報を含む前記ＳＲＳ設定情報を受信するステップと、
前記ＳＲＳ設定情報に基づいてＳＲＳ送信を行うステップと、を含む、ＳＲＳ設定情報受信方法。
【請求項２】
前記端末が同時送信可能なＳＲＳリソースの数に関する情報を含む端末能力（ｃａｐａｂｉｌｉｔｙ）情報を前記基地局に送信するステップをさらに含み、
前記端末に設定された同時送信可能なＳＲＳリソースの数は、前記端末能力情報に基づいて決定される、請求項１に記載のＳＲＳ設定情報受信方法。
【請求項３】
前記ＳＲＳ設定情報は、一スロット内のＳＲＳ送信のためのシンボル数の情報、前記一スロット内のＳＲＳ送信のためのシンボル位置の情報、同一ビームにマッピングされるＳＲＳのシンボル数の情報、前記ＳＲＳ送信のために前記一スロット内において同一ビームを適用するか否かを指示する情報、一ＳＲＳシンボルにおけるＳＲＳリソース数の情報、及びＳＲＳリソース当たりマッピングされるポート数の情報のうち少なくともいずれか１つをさらに含む、請求項１に記載のＳＲＳ設定情報受信方法。
【請求項４】
前記端末の同時送信可能なＳＲＳポート数の情報、前記端末の同時送信可能な上りリンクビーム数の情報、前記端末のパネル数情報、及び前記端末のトランシーバユニット（ｔｒａｎｃｅｉｖｅｒ  Ｕｎｉｔ，ＴＸＲＵ）数の情報のうち少なくともいずれか１つをさらに含む端末能力情報を前記基地局に送信するステップをさらに含み、
前記ＳＲＳ設定情報は、前記端末能力情報に基づいて決定される、請求項３に記載のＳＲＳ設定情報受信方法。
【請求項５】
前記ＳＲＳ設定情報は、ＳＲＳリソース間の多重化方式を指示する情報をさらに含む、請求項１に記載のＳＲＳ設定情報受信方法。
【請求項６】
前記指示された多重化方式は、前記端末の端末能力情報に基づいて決定される、請求項５に記載のＳＲＳ設定情報受信方法。
【請求項７】
前記端末能力情報は、前記ＳＲＳ送信のための最大送信アンテナポートの数及び前記最大送信アンテナポートの数に対応する前記ＳＲＳリソース間の多重化方式を指示する情報を含む、請求項６に記載のＳＲＳ設定情報受信方法。
【請求項８】
前記基地局が前記ＳＲＳ設定情報で設定したＳＲＳ設定能力（ｃａｐａｂｉｌｉｔｙ）が前記端末の端末能力よりも高く設定された場合、前記基地局のＳＲＳ設定が間違った設定であることを指示するメッセージを前記基地局に送信するステップをさらに含む、請求項１に記載のＳＲＳ設定情報受信方法。
【請求項９】
前記端末が選好するＳＲＳ送信設定を指示するメッセージを前記基地局に送信するステップをさらに含む、請求項１に記載のＳＲＳ設定情報受信方法。
【請求項１０】
前記ＳＲＳ設定情報は、前記端末のために設定されたＳＲＳ周波数ホッピングパターンに関する情報をさらに含む、請求項１に記載のＳＲＳ設定情報受信方法。
【請求項１１】
サウンディング参照信号（Ｓｏｕｎｄｉｎｇ  Ｒｅｆｅｒｅｎｃｅ  Ｓｙｍｂｏｌ，ＳＲＳ）設定情報を受信するための端末であって、
受信器と、
送信器と、
プロセッサと、を含み、
前記プロセッサは、前記受信器が基地局から前記端末に対して設定された同時送信可能なＳＲＳリソースの数に関する情報を含む前記ＳＲＳ設定情報を受信するように制御し、
前記プロセッサは、前記送信器が前記ＳＲＳ設定情報に基づいて、ＳＲＳ送信を行うように制御する、端末。
【請求項１２】
前記プロセッサは、前記送信器が前記端末が同時送信可能なＳＲＳリソースの数に関する情報を含む端末能力（ｃａｐａｂｉｌｉｔｙ）情報を前記基地局に送信するように制御し、
前記端末に設定された同時送信可能なＳＲＳリソースの数は、前記端末能力情報に基づいて決定される、請求項１１に記載の端末。
【請求項１３】
前記ＳＲＳ設定情報は、一スロット内のＳＲＳ送信のためのシンボル数の情報、前記一スロット内のＳＲＳ送信のためのシンボル位置の情報、同一ビームにマッピングされるＳＲＳのシンボル数の情報、前記ＳＲＳ送信のために前記一スロット内において同一のビームを適用するか否かを指示する情報、一ＳＲＳシンボルにおけるＳＲＳリソース数の情報、及びＳＲＳリソース当たりマッピングされるポートの数の情報のうち少なくともいずれか１つをさらに含む、請求項１１に記載の端末。
【請求項１４】
前記プロセッサは、前記送信器が前記端末の同時送信可能なＳＲＳポート数の情報、前記端末の同時送信可能な上りリンクビーム数の情報、前記端末のパネル数の情報、及び前記端末のトランシーバユニット（ｔｒａｎｃｅｉｖｅｒ  Ｕｎｉｔ，ＴＸＲＵ）数の情報のうち少なくともいずれか１つをさらに含む端末能力情報を前記基地局に送信するように制御し、
前記ＳＲＳ設定情報は、前記端末能力情報に基づいて決定される、請求項１３に記載の端末。
【請求項１５】
前記基地局が前記ＳＲＳ設定情報で設定したＳＲＳ設定能力（ｃａｐａｂｉｌｉｔｙ）が前記端末の端末能力よりも高く設定された場合、前記プロセッサは、前記送信器が前記基地局のＳＲＳ設定が間違った設定であることを指示するメッセージを前記基地局に送信するように制御する、請求項１１に記載の端末。
【発明の詳細な説明】
【技術分野】
【０００１】
本発明は、無線通信に関し、より詳細には、ＳＲＳ設定情報を受信する方法及びそのための端末に関する。
【背景技術】
【０００２】
Ｎｅｗ  ｒａｄｉｏ  ａｃｃｅｓｓ  ｔｅｃｈｎｏｌｏｇｙ（ＲＡＴ）システムが導入される場合、より多い通信機器がより大きい通信容量を要求することにより、既存のＲＡＴに比べて向上した無線広帯域（ｍｏｂｉｌｅ  ｂｒｏａｄｂａｎｄ）通信に対する必要性が台頭しつつある。
【０００３】
また、複数の機器及びモノを連結していつでもどこでも様々なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）が次世代通信において考慮すべき重要なイシューの１つである。のみならず、信頼度（ｒｅｌｉａｂｉｌｉｔｙ）及びレイテンシ（ｌａｔｅｎｃｙ）に敏感なサービス／ＵＥを考慮した通信システムデザインが論議されている。このように、Ｎｅｗ  ＲＡＴでは、ｅｎｈａｎｃｅｄ  ｍｏｂｉｌｅ  ｂｒｏａｄｂａｎｄ  ｃｏｍｍｕｎｉｃａｔｉｏｎ（ｅＭＢＢ）、ｍａｓｓｉｖｅ  ＭＴＣ（ｍＭＴＣ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮したサービスを提供しようとする。
【発明の概要】
【発明が解決しようとする課題】
【０００４】
本発明が遂げようとする技術的課題は、ＳＲＳ設定情報を受信する方法を提供することにある。
【０００５】
本発明が遂げようとする別の技術的課題は、ＳＲＳ設定情報を受信するための端末を提供することにある。
【０００６】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【０００７】
上述した技術的課題を達成するための、端末がサウンディング参照信号（Ｓｏｕｎｄｉｎｇ  Ｒｅｆｅｒｅｎｃｅ  Ｓｙｍｂｏｌ，ＳＲＳ）設定情報を受信する方法は、基地局から前記端末に対して設定された同時送信可能なＳＲＳリソースの数に関する情報を含む前記ＳＲＳ設定情報を受信するステップと、前記ＳＲＳ設定情報に基づいて、ＳＲＳ送信を行うステップと、を含む。前記ＳＲＳ設定情報は、一スロット内のＳＲＳ送信のためのシンボル数の情報、前記一スロット内のＳＲＳ送信のためのシンボル位置の情報、同一ビームにマッピングされるＳＲＳのシンボル数の情報、前記ＳＲＳ送信のために前記一スロット内において同一ビームを適用するか否かを指示する情報、一ＳＲＳシンボルにおけるＳＲＳリソース数の情報、及びＳＲＳリソース当たりマッピングされるポート数の情報  のうち少なくともいずれか１つをさらに含む。
【０００８】
前記方法は、前記端末が同時送信可能なＳＲＳリソースの数に関する情報を含む端末能力（ｃａｐａｂｉｌｉｔｙ）情報を前記基地局に送信するステップをさらに含み、前記端末に設定された同時送信可能なＳＲＳリソースの数は、前記端末能力情報に基づいて決定される。前記方法は、前記端末の同時送信可能なＳＲＳポート数の情報、前記端末の同時送信可能な上りリンクビーム数の情報、前記端末のパネル数の情報、及び前記端末のトランシーバユニット（ｔｒａｎｃｅｉｖｅｒ  Ｕｎｉｔ，ＴＸＲＵ）数の情報のうち少なくともいずれか１つをさらに含む端末能力情報を前記基地局に送信するステップをさらに含み、前記ＳＲＳ設定情報は、前記端末能力情報に基づいて決定される。
【０００９】
前記ＳＲＳ設定情報は、ＳＲＳリソース間の多重化方式を指示する情報をさらに含む。前記指示された多重化方式は、前記端末の端末能力情報に基づいて決定される。前記端末能力情報は、前記ＳＲＳ送信のための最大送信アンテナポートの数及び前記最大送信アンテナポートの数に対応する前記ＳＲＳリソース間の多重化方式を指示する情報を含む。前記ＳＲＳ設定情報は、前記端末のために設定されたＳＲＳ周波数ホッピングパターンに関する情報をさらに含む。
【００１０】
前記方法は、前記基地局が前記ＳＲＳ設定情報で設定したＳＲＳ設定能力（ｃａｐａｂｉｌｉｔｙ）が前記端末の端末能力よりも高く設定された場合、前記基地局のＳＲＳ設定が間違った設定であることを指示するメッセージを前記基地局に送信するステップをさらに含む。前記方法は、前記端末が選好するＳＲＳ送信設定を指示するメッセージを前記基地局に送信するステップをさらに含む。
【００１１】
上述した別の技術的課題を達成するための、ＳＲＳ設定情報を受信するための端末は、受信器と、送信器と、プロセッサとを含み、前記プロセッサは、前記受信器が基地局から前記端末に対して設定された同時送信可能なＳＲＳリソースの数に関する情報を含む前記ＳＲＳ設定情報を受信するように制御し、前記プロセッサは、前記送信器が前記ＳＲＳ設定情報に基づいて、ＳＲＳ送信を行うように制御する。
【００１２】
前記プロセッサは、前記送信器が前記端末が同時送信可能なＳＲＳリソースの数に関する情報を含む端末能力（ｃａｐａｂｉｌｉｔｙ）情報を前記基地局に送信するように制御し、前記端末に設定された同時送信可能なＳＲＳリソースの数は、前記端末能力情報に基づいて決定される。前記ＳＲＳ設定情報は、一スロット内のＳＲＳ送信のためのシンボル数の情報、前記一スロット内のＳＲＳ送信のためのシンボル位置の情報、同一ビームにマッピングされるＳＲＳのシンボル数の情報、前記ＳＲＳ送信のために前記一スロット内において同一のビームを適用するか否かを指示する情報、一ＳＲＳシンボルにおけるＳＲＳリソース数の情報、及びＳＲＳリソース当たりマッピングされるポート数の情報のうち少なくともいずれか１つをさらに含む。
【００１３】
前記プロセッサは、前記送信器が前記端末の同時送信可能なＳＲＳポート数の情報、前記端末の同時送信可能な上りリンクビーム数の情報、前記端末のパネル数の情報、及び前記端末のトランシーバユニット（ｔｒａｎｃｅｉｖｅｒ  Ｕｎｉｔ，ＴＸＲＵ）数の情報のうち少なくともいずれか１つをさらに含む端末能力情報を前記基地局に送信するように制御し、前記ＳＲＳ設定情報は、前記端末能力情報に基づいて決定される。
【００１４】
前記基地局が前記ＳＲＳ設定情報で設定したＳＲＳ設定能力（ｃａｐａｂｉｌｉｔｙ）が前記端末の端末能力よりも高く設定された場合、前記プロセッサは、前記送信器が前記基地局のＳＲＳ設定が間違った設定であることを指示するメッセージを前記基地局に送信するように制御する。
【発明の効果】
【００１５】
本発明の実施例によれば、ＮＲ端末の能力（例えば、ビームフォーミング能力）によって用いるＳＲＳリソースに対するＳＲＳポートとＳＲＳリソースとのマッピングを行うことができる。このとき、このＳＲＳ設定のために必要なパラメータ、ＳＲＳ設定方法（周期的、非周期的、半持続的（ｓｅｍｉ−ｐｅｒｓｉｓｔｅｎｔ））、及び用途（ＵＬ  ｂｅａｍ  ｍａｎａｇｅｍｅｎｔ、ＵＬ  ｃｈａｎｎｅｌ  ｅｓｔｉｍａｔｉｏｎ）に応じてＳＲＳ設定を適宜に指定することができる。
【００１６】
本発明で得られる効果は以上に言及した効果に制限されず、言及しなかった他の効果は下記の記載から本発明が属する当該技術分野における当業者に明確に理解されるであろう。
【図面の簡単な説明】
【００１７】
本発明に関する理解を助けるために詳細な説明の一部として含まれる添付の図面は、本発明に関する実施例を提供し、詳細な説明と共に本発明の技術的思想を説明する。
【００１８】
【図１】無線通信システム１００における基地局１０５及び端末１１０の構成を示したブロック図である。
【図２ａ】表１０におけるＳｅｒｉｅｓ  ｏｆ  ｂｌｏｃｋａｇｅ  ｅｖｅｎｔ  ｄｕｒａｔｉｏｎは意味のあるｂｌｏｃｋａｇｅが発生する時間を示す図である。
【図２ｂ】表１０におけるｂｌｏｃｋａｇｅ  ｄｕｒａｔｉｏｎ（ｔＤ）を示す図である。
【図３ａ】ＴＸＲＵ  ｖｉｒｔｕａｌｉｚａｔｉｏｎ  ｍｏｄｅｌ  ｏｐｔｉｏｎ  １（ｓｕｂ−ａｒｒａｙ  ｍｏｄｅｌ）を示す図である。
【図３ｂ】ＴＸＲＵ  ｖｉｒｔｕａｌｉｚａｔｉｏｎ  ｍｏｄｅｌ  ｏｐｔｉｏｎ  ２（ｆｕｌｌ  ｃｏｎｎｅｃｔｉｏｎ  ｍｏｄｅｌ）を示す図である。
【図４】ハイブリッドビームフォーミングのためのブロック図である。
【図５】ハイブリッドビームフォーミングにおいてＢＲＳシンボルにマッピングされたビームの例を示す図である。
【図６】異なるニューマロロジー（ｎｕｍｅｒｏｌｏｇｙ）間のシンボル／サブシンボル整列（ａｌｉｇｎｍｅｎｔ）を示す例示的な図である。
【図７】２６−ｌｅｎｇｔｈ  Ｇｏｌａｙ  Ｃｏｍｐｌｅｍｅｎｔａｒｙ  Ｓｅｑｕｅｎｃｅ  ｐａｉｒの２つを用いた長さ５２の自己相関（ａｕｔｏｃｏｒｒｅｌａｔｉｏｎ）の性能を示す図である。
【図８】長さ５２のＧｏｌａｙシーケンスにおいて互いに異なるＣＳを有するシーケンス間の交差相関（ｃｒｏｓｓ−ｃｏｒｒｅｌａｔｉｏｎ）を示す図である。
【図９】ＺＣ、Ｇｏｌａｙ、ＰＮシーケンスの交差相関（Ｃｒｏｓｓ−ｃｏｒｒｅｌａｔｉｏｎ）とキュービックメトリック（ｃｕｂｉｃ−ｍｅｔｒｉｃ）評価（ｅｖａｌｕａｔｉｏｎ）を示す図である。
【図１０】ＳＲＳ送信スロットが１４個のシンボルからなる場合におけるＳＲＳ送信のための１つ又は複数のＳＣ−ＦＤＭＡ／ＯＦＤＭシンボル位置に関する例示を示す図である。
【図１１】周波数側ＳＲＳリソース設定及びポートマッピングを例示する図である。
【図１２】ＳＲＳリソース固有ＴＣ値設定及びＳＲＳリソース配置を例示する図である。
【図１３】ＯＣＣ適用を例示する図である。
【図１４】ＳＲＳリソースインデックス設定を例示（Ｋ＞＝１）する図である。
【図１５】表１３の端末ビームフォーミング性能インデックスが０であるとき、ＳＲＳ設定を例示（Ｋ＝６）する図である。
【図１６】端末の最大送信ビームポート数が４個であり、ＳＲＳリソース多重化方式がＴＤＭ  ｏｎｌｙの場合を例示する図である。
【図１７】端末の最大送信ビームポート数が４個であり、ＳＲＳリソース間ＦＤＭ  ｏｎｌｙの場合を例示する図である。
【図１８】端末の最大送信ビームポート数が４個であり、ＳＲＳリソース間のＴＤＭ及びＦＤＭ方式が結合されて適用される場合を例示する図である。
【図１９】ＳＲＳ時間／周波数マッピングを例示（Ｎ＝６，  Ｐ＝２，  Ｍ＝１，  Ｏ＝１）する図である。
【図２０】端末ビームフォーミング性能によって変化するＳＲＳ送信を例示（Ｎ＝２，  Ｐ＝１，  Ｍ＝４，  Ｑ＝１  −＞  Ｎ２＝２，  Ｐ２＝１，  Ｍ２＝１，  Ｑ２＝２）する図である。
【図２１】セルエッジ端末の場合、ＵＬ全帯域チャネル推定のためのＮ、Ｐ、Ｍ値の設定を例示する図である。
【図２２】ＵＬ特定リソース領域チャネル推定性能の向上のためのＮ、Ｐ、Ｍ値の設定を例示する図である。
【図２３】Ｎ、Ｐ、Ｍ、Ｑ値のための送信設定（ｔｒａｎｓｍｉｓｓｉｏｎ  ｃｏｎｆｉｇｕｒａｔｉｏｎ）を例示する図である。
【発明を実施するための形態】
【００１９】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。例えば、以下の詳細な説明が、移動通信システムが３ＧＰＰ  ＬＴＥ、ＬＴＥ−Ａシステム、５Ｇシステムである場合を仮定して具体的に説明されたが、３ＧＰＰ  ＬＴＥ、ＬＴＥ−Ａ特有の事項以外は、他の任意の移動通信システムにも適用可能である。
【００２０】
場合によっては、本発明の概念が曖昧になることを避けるために、公知の構造及び装置を省略したり、各構造及び装置の核心機能を中心にしたブロック図の形式で示すことができる。また、本明細書全体にわたって同一の構成要素については、同一の図面符号を付して説明する。
【００２１】
さらに、以下の説明において、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＡＭＳ（Ａｄｖａｎｃｅｄ  Ｍｏｂｉｌｅ  Ｓｔａｔｉｏｎ）など移動又は固定型のユーザ端機器を総称することを仮定する。また、基地局は、Ｎｏｄｅ  Ｂ、ｅＮｏｄｅ  Ｂ、Ｂａｓｅ  Ｓｔａｔｉｏｎ、ＡＰ（Ａｃｃｅｓｓ  Ｐｏｉｎｔ）、ｇＮｏｄｅ  Ｂなど端末と通信するネットワーク端の任意のノードを総称することを仮定する。
【００２２】
移動通信システムにおいて、端末（Ｕｓｅｒ  Ｅｑｕｉｐｍｅｎｔ）は、基地局から下りリンク（Ｄｏｗｎｌｉｎｋ）を介して情報を受信することができ、また端末は、上りリンク（Ｕｐｌｉｎｋ）を介して情報を送信することができる。端末が送信又は受信する情報には、データ及び様々な制御情報があり、端末が送信又は受信する情報の種類、用途に応じて様々な物理チャネルが存在する。
【００２３】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線アクセスシステムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現化することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現化することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現化することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ  ＬＴＥの進化したバージョンである。
【００２４】
また、以下の説明で使う特定の用語は本発明の理解を助けるために提供するもので、このような特定の用語の使用は本発明の技術的思想を逸脱しない範囲内で他の形態に変更可能である。
【００２５】
図１は、無線通信システム１００における基地局１０５及び端末１１０の構成を示すブロック図である。
【００２６】
無線通信システム１００を簡略に示すために、１つの基地局１０５と１つの端末１１０（Ｄ２Ｄ端末を含む）を示したが、無線通信システム１００は１つ以上の基地局及び／又は１つ以上の端末を含むことができる。
【００２７】
図１を参照すると、基地局１０５は、送信（Ｔｘ）データプロセッサ１１５、シンボル変調器１２０、送信器１２５、送受信アンテナ１３０、プロセッサ１８０、メモリ１８５、受信器１９０、シンボル復調器１９５及び受信データプロセッサ１９７を含むことができる。そして、端末１１０は、送信（Ｔｘ）データプロセッサ１６５、シンボル変調器１７０、送信器１７５、送受信アンテナ１３５、プロセッサ１５５、メモリ１６０、受信器１４０、シンボル復調器１５５及び受信データプロセッサ１５０を含むことができる。送受信アンテナ１３０、１３５はそれぞれ基地局１０５及び端末１１０に１つとして示されているが、基地局１０５及び端末１１０は複数の送受信アンテナを備えている。よって、本発明による基地局１０５及び端末１１０はＭＩＭＯ（Ｍｕｌｔｉｐｌｅ  Ｉｎｐｕｔ  Ｍｕｌｔｉｐｌｅ  Ｏｕｔｐｕｔ）システムを支援する。また、本発明による基地局１０５はＳＵ−ＭＩＭＯ（Ｓｉｎｇｌｅ  Ｕｓｅｒ−ＭＩＭＯ）ＭＵ−ＭＩＭＯ（Ｍｕｌｔｉ  Ｕｓｅｒ−ＭＩＭＯ）方式をいずれも支援することができる。
【００２８】
下りリンク上で、送信データプロセッサ１１５はトラフィックデータを受信し、受信したトラフィックデータをフォーマットしてコードし、コードされたトラフィックデータをインターリーブして変調し（又はシンボルマッピングし）、変調シンボル（「データシンボル」）を提供する。シンボル変調器１２０はこのデータシンボルとパイロットシンボルを受信及び処理してシンボルのストリームを提供する。
【００２９】
シンボル変調器１２０は、データ及びパイロットシンボルを多重化し、これを送信器１２５に送信する。ここで、それぞれの送信シンボルはデータシンボル、パイロットシンボル又はゼロの信号値であり得る。それぞれのシンボル周期で、パイロットシンボルが連続的に送信されることもできる。パイロットシンボルは周波数分割多重化（ＦＤＭ）、直交周波数分割多重化（ＯＦＤＭ）、時分割多重化（ＴＤＭ）又はコード分割多重化（ＣＤＭ）シンボルであり得る。
【００３０】
送信器１２５はシンボルのストリームを受信し、これを１つ以上のアナログ信号に変換し、さらにこのアナログ信号を追加的に調節して（例えば、増幅、フィルタリング及び周波数アップコンバーティング（ｕｐｃｏｎｖｅｒｔｉｎｇ）して、無線チャネルを介した送信に適した下りリンク信号を発生させる。すると、送信アンテナ１３０は発生した下りリンク信号を端末に送信する。
【００３１】
端末１１０の構成において、受信アンテナ１３５は基地局からの下りリンク信号を受信し、受信された信号を受信器１４０に提供する。受信器１４０は受信された信号を調整し（例えば、フィルタリング、増幅、及び周波数ダウンコンバーティング（ｄｏｗｎｃｏｎｖｅｒｔｉｎｇ））、調整された信号をデジタル化してサンプルを獲得する。シンボル復調器１４５は受信されたパイロットシンボルを復調し、チャネル推定のためにこれをプロセッサ１５５に提供する。
【００３２】
また、シンボル復調器１４５はプロセッサ１５５から下りリンクに対する周波数応答推定値を受信し、受信されたデータシンボルに対してデータ復調を行って（送信されたデータシンボルの推定値である）データシンボル推定値を獲得し、データシンボル推定値を受信（Ｒｘ）データプロセッサ１５０に提供する。受信データプロセッサ１５０はデータシンボル推定値を復調（すなわち、シンボルデマッピング（ｄｅｍａｐｐｉｎｇ））し、デインターリーブ（ｄｅｉｎｔｅｒｌｅａｖｉｎｇ）し、デコードして、送信されたトラフィックデータをリカバリーする。
【００３３】
シンボル復調器１４５及び受信データプロセッサ１５０による処理はそれぞれ基地局１０５でのシンボル変調器１２０及び送信データプロセッサ１１５による処理に対して相補的である。
【００３４】
端末１１０は上りリンク上で、送信データプロセッサ１６５はトラフィックデータを処理してデータシンボルを提供する。シンボル変調器１７０はデータシンボルを受信して多重化し、変調を行い、シンボルのストリームを送信器１７５に提供することができる。送信器１７５はシンボルのストリームを受信及び処理して上りリンク信号を発生させる。そして、送信アンテナ１３５は発生した上りリンク信号を基地局１０５に送信する。
【００３５】
基地局１０５で、端末１１０から上りリンク信号が受信アンテナ１３０を介して受信され、受信器１９０は受信した上りリンク信号を処理してサンプルを取得する。ついで、シンボル復調器１９５はこのサンプルを処理し、上りリンクに対して受信されたパイロットシンボル及びデータシンボル推定値を提供する。受信データプロセッサ１９７はデータシンボル推定値を処理し、端末１１０から送信されたトラフィックデータをリカバリーする。
【００３６】
端末１１０及び基地局１０５のそれぞれのプロセッサ１５５、１８０はそれぞれ端末１１０及び基地局１０５での動作を指示（例えば、制御、調整、管理など）する。それぞれのプロセッサ１５５、１８０はプログラムコード及びデータを保存するメモリユニット１６０、１８５と接続されることができる。メモリ１６０、１８５はプロセッサ１８０に接続され、オペレーティングシステム、アプリケーション、及び一般ファイル（ｇｅｎｅｒａｌ  ｆｉｌｅｓ）を保存する。
【００３７】
プロセッサ１５５、１８０はコントローラー（ｃｏｎｔｒｏｌｌｅｒ）、マイクロコントローラー（ｍｉｃｒｏｃｏｎｔｒｏｌｌｅｒ）、マイクロプロセッサ（ｍｉｃｒｏｐｒｏｃｅｓｓｏｒ）、マイクロコンピューター（ｍｉｃｒｏｃｏｍｐｕｔｅｒ）などとも呼ばれる。一方、プロセッサ１５５、１８０はハードウェア（ｈａｒｄｗａｒｅ）又はファームウエア（ｆｉｒｍｗａｒｅ）、ソフトウェア、又はこれらの組み合わせによって実現されることができる。ハードウェアを用いて本発明の実施例を実現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）又はＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１５５、１８０に備えられてもよい。
【００３８】
一方、ファームウエア又はソフトウェアを用いて本発明の実施例を具現化する場合には、本発明の機能又は動作を行うモジュール、過程又は関数などを含むようにファームウエア又はソフトウェアが構成されることができ、本発明を実行するように構成されたファームウエア又はソフトウェアはプロセッサ１５５、１８０内に備えられるか、メモリ１６０、１８５に保存されてプロセッサ１５５、１８０によって駆動されることができる。
【００３９】
端末と基地局の無線通信システム（ネットワーク）間の無線インターフェースプロトコルのレイヤーは通信システムでよく知られたＯＳＩ（ｏｐｅｎ  ｓｙｓｔｅｍ  ｉｎｔｅｒｃｏｎｎｅｃｔｉｏｎ）モデルの下位３レイヤーに基づいて、第１のレイヤーＬ１、第２のレイヤーＬ２及び第３のレイヤーＬ３に分類されることができる。物理レイヤーは前記第１のレイヤーに属し、物理チャネルを介して情報送信サービスを提供する。ＲＲＣ（Ｒａｄｉｏ  Ｒｅｓｏｕｒｃｅ  Ｃｏｎｔｒｏｌ）レイヤーは前記第３のレイヤーに属し、ＵＥとネットワーク間の制御無線リソースを提供する。端末、基地局は無線通信ネットワークとＲＲＣレイヤーを介してＲＲＣメッセージを交換することができる。
【００４０】
本明細書において、端末のプロセッサ１５５と基地局のプロセッサ１８０とは、それぞれ端末１１０及び基地局１０５が信号を受信又は送信する機能及び格納の機能などを除いて、信号及びデータを処理する動作を行うが、説明の便宜のために、以下では特にプロセッサ１５５，１８０に言及しない。特にプロセッサ１５５，１８０に言及しなくても、信号を受信又は送信する機能ではないデータ処理などの一連の動作を行うといえる。
【００４１】
まず、３ＧＰＰ  ＬＴＥ／ＬＴＥ−ＡシステムにおけるＳＲＳ（Ｓｏｕｎｄｉｎｇ  Ｒｅｆｅｒｅｎｃｅ  Ｓｉｇｎａｌ又はＳｏｕｎｄｉｎｇ  Ｒｅｆｅｒｅｎｃｅ  Ｓｙｍｂｏｌ）送信に関する内容を以下の表１において説明する。
【００４２】
【表１−１】
2020511037.tif 000003
【表１−２】
2020511037.tif 000004
【００４３】
以下の表２は、３ＧＰＰ  ＬＴＥ／ＬＴＥ−ＡシステムにおいてＤＣＩフォーマット４におけるトリガタイプ１のためのＳＲＳ  Ｒｅｑｕｅｓｔ  Ｖａｌｕｅを示した表である。
【００４４】
【表２】
2020511037.tif 000005
【００４５】
以下の表３は、３ＧＰＰ  ＬＴＥ／ＬＴＥ−ＡシステムにおけるＳＲＳ送信に関する追加内容をさらに説明するための表である。
【００４６】
【表３−１】
2020511037.tif 000006
【００４７】
【表３−２】
2020511037.tif 000007
【００４８】
【表３−３】
2020511037.tif 000008
【００４９】
【表３−４】
2020511037.tif 000009
【００５０】
【表３−５】
2020511037.tif 000010
【００５１】
以下の表４は、ＦＤＤにおいてトリガタイプ０のためのサブフレームオフセット設定（Ｔｏｆｆｓｅｔ）及びＵＥ−ｓｐｅｃｉｆｉｃ  ＳＲＳ  ｐｅｒｉｏｄｉｃｉｔｙ（ＴＳＲＳ）を示した表である。
【００５２】
【表４】
2020511037.tif 000011
【００５３】
以下の表５は、ＴＤＤにおいてトリガタイプ０のためのサブフレームオフセット設定（Ｔｏｆｆｓｅｔ）及びＵＥ−ｓｐｅｃｉｆｉｃ  ＳＲＳ  ｐｅｒｉｏｄｉｃｉｔｙ（ＴＳＲＳ）を示した表である。
【００５４】
【表５】
2020511037.tif 000012
【００５５】
【表６】
2020511037.tif 000013
【００５６】
表７は、ＴＤＤのためのｋＳＲＳを示した表である。
【００５７】
【表７】
2020511037.tif 000014
【００５８】
以下の表８は、ＦＤＤにおいてトリガタイプ１のためのサブフレームオフセット設定（Ｔｏｆｆｓｅｔ，１）及びＵＥ−ｓｐｅｃｉｆｉｃ  ＳＲＳ  ｐｅｒｉｏｄｉｃｉｔｙ（ＴＳＲＳ，１）を示した表である。
【００５９】
【表８】
2020511037.tif 000015
【００６０】
以下の表９は、ＴＤＤにおいてトリガタイプ１のためのサブフレームオフセット設定（Ｔｏｆｆｓｅｔ，１）及びＵＥ−ｓｐｅｃｉｆｉｃ  ＳＲＳ  ｐｅｒｉｏｄｉｃｉｔｙ（ＴＳＲＳ， １）を示した表である。
【００６１】
【表９】
2020511037.tif 000016
【００６２】
以下の表１０は、６Ｇｈｚ以上チャネルの６Ｇｈｚ以下に対する追加チャネル変化の特徴（ｂｌｏｃｋａｇｅ  ｅｆｆｅｃｔ）を示す表である。
【００６３】
【表１０】
2020511037.tif 000017
【００６４】
図２は、表１０に関連して、ｂｌｏｃａｋａｇｅ  ｄｕｒａｔｉｏｎを説明するための図である。図２ａは、表１０におけるＳｅｒｉｅｓ  ｏｆ  ｂｌｏｃｋａｇｅ  ｅｖｅｎｔ  ｄｕｒａｔｉｏｎは意味のあるｂｌｏｃｋａｇｅが発生する時間を示して、図２ｂは、表２におけるｂｌｏｃｋａｇｅ  ｄｕｒａｔｉｏｎ（ｔＤ）を示す。Ｓｅｒｉｅｓ  ｏｆ  Ｂｌｏｃｋａｇｅ  ｅｖｅｎｔは、意味のあるｂｌｏｃｋａｇｅが発生する時間、ｔＤは、ｂｌｏｃｋａｇｅが発生して再びｂｌｏｃｋａｇｅが終了して正常状態に戻る時間を示す。
【００６５】
表１１は、ｔｄｅｃａｙ、ｔｒｉｓｉｎｇと端末とのパターン関係を示すための表である。
【００６６】
【表１１】
2020511037.tif 000018
【００６７】
表１１におけるｂｌｏｃｋａｇｅの変化は、基本的に、平均１００ｍｓ（歩く障害物速度（４ｋｍ／ｈ））程度であるが、これは端末のパターン及び周辺環境によって、２〜数百ｍｓまで多様に変化できる。
【００６８】
＜アナログビームフォーミング（ａｎａｌｏｇ  ｂｅａｍｆｏｒｍｉｎｇ）＞
【００６９】
ミリメートル周波数帯域、すなわち、ミリメートル波長（ｍｉｌｌｉｍｅｔｅｒ  ｗａｖｅ，  ｍｍＷ）帯域では、波長が短くなり、同一面積に複数のアンテナ要素（ｅｌｅｍｅｎｔ）を取り付けることができる。例えば、１ｃｍ程度の波長の３０ＧＨｚ帯域では、５  ｂｙ  ５ｃｍのパネル（ｐａｎｅｌ）に０．５ラムダ（ｌａｍｄａ）（波長）間隔で２次元（ｄｉｍｅｎｓｉｏｎ）配列の形態として全１００個のアンテナ要素を取り付けることができる。したがって、ｍｍＷでは、複数のアンテナ要素を用いて、ビームフォーミングの利得を高めて、カバレッジを増加させたり、処理量（ｔｈｒｏｕｇｈｐｕｔ）を高めることが考えられる。
【００７０】
このとき、アンテナ要素別に送信パワー及び位相の調節ができるように、ＴＸＲＵ（Ｔｒａｎｓｃｅｉｖｅｒ  Ｕｎｉｔ）を備えると、周波数リソース別に独立したビームフォーミングが可能である。しかし、１００個余りの全てのアンテナ要素にＴＸＲＵを設けることは費用面で実効性に乏しい問題がある。従って、１つのＴＸＲＵに多数のアンテナ要素をマッピング（ｍａｐｐｉｎｇ）し、アナログ位相シフター（ａｎａｌｏｇ  ｐｈａｓｅ  ｓｈｉｆｔｅｒ）でビーム方向を調節する方式が考えられている。かかるアナログビームフォーミング方式は、全帯域において１つのビーム方向のみを形成することができるため、周波数選択的なビームフォーミング（ｂｅａｍｆｏｒｍｉｎｇ，ＢＦ）はできないというデメリットがある。
【００７１】
デジタルビームフォーミング（Ｄｉｇｉｔａｌ  ＢＦ）とアナログビームフォーミング（Ａｎａｌｏｇ  ＢＦ）の中間形態として、Ｑ個のアンテナ要素より少ない数のＢ個のＴＸＲＵを有するハイブリッドビームフォーミング（Ｈｙｂｒｉｄ  ＢＦ）が考えられる。この場合、Ｂ個のＴＸＲＵとＱ個のアンテナ要素の接続方式によって差はあるが、同時に送信可能なビームの方向はＢ個以下に制限される。
【００７２】
図３ａは、ＴＸＲＵ  ｖｉｒｔｕａｌｉｚａｔｉｏｎ  ｍｏｄｅｌ  ｏｐｔｉｏｎ  １（ｓｕｂ−ａｒｒａｙ  ｍｏｄｅｌ）を示した図であり、図３ｂは、ＴＸＲＵ  ｖｉｒｔｕａｌｉｚａｔｉｏｎ  ｍｏｄｅｌ  ｏｐｔｉｏｎ  ２（ｆｕｌｌ  ｃｏｎｎｅｃｔｉｏｎ  ｍｏｄｅｌ）を示した図である。
【００７３】
図３ａ及び図３ｂは、ＴＸＲＵとアンテナ要素との接続方式の代表的な一例を示す。ここで、ＴＸＲＵ  ｖｉｒｔｕａｌｉｚａｔｉｏｎモデルは、ＴＸＲＵの出力信号と、アンテナ要素の出力信号の関係を示す。図３ａは、ＴＸＲＵがサブアレイ（ｓｕｂ−ａｒｒａｙ）に接続された方式を示す。この場合、アンテナ要素は１つのＴＸＲＵにのみ接続される。これとは異なり、図３ｂは、ＴＸＲＵが全てのアンテナ要素に接続された方式を示す。この場合、アンテナ要素は全てのＴＸＲＵに接続される。図３ａ及び図３ｂにおいて、Ｗはアナログ位相シフターにより乗じられる位相ベクトルを示す。即ち、Ｗによってアナログビームフォーミングの方向が決定される。ここで、ＣＳＩ−ＲＳアンテナポートとＴＸＲＵとのマッピングは１−ｔｏ−１又は１−ｔｏ−ｍａｎｙである。
【００７４】
ハイブリッドビームフォーミング（Ｈｙｂｒｉｄ  Ｂｅａｍｆｏｒｍｉｎｇ）
【００７５】
図４は、ハイブリッドビームフォーミングのためのブロック図を示した図である。
【００７６】
Ｎｅｗ  ＲＡＴシステムでは、複数のアンテナが使用される場合、デジタルビームフォーミングとアナログビームフォーミングとを組み合わせたハイブリッドビームフォーミング方式を適用することができる。このとき、アナログビームフォーミング（又は、ＲＦビームフォーミング）は、ＲＦ端においてプリコーディング（Ｐｒｅｃｏｄｉｎｇ）（又は、コンバイニング（Ｃｏｍｂｉｎｉｎｇ））を実行する動作を意味する。このようなハイブリッドビームフォーミング方式において、ベースバンド（Ｂａｓｅｂａｎｄ）端とＲＦ端はそれぞれプリコーディング（Ｐｒｅｃｏｄｉｎｇ）（又は、コンバイニング（Ｃｏｍｂｉｎｉｎｇ））を行うことで、ＲＦ  ｃｈａｉｎ数とＤ／Ａ（又は、Ａ／Ｄ）ｃｏｎｖｅｒｔｅｒ数を減らしながらも、デジタルビームフォーミングに近づく性能が出せるというメリットを有する。説明の便宜のために、図４に示したように、上述したハイブリッドビームフォーミング構造は、Ｎ個のＴｒａｎｓｃｅｉｖｅｒ  ｕｎｉｔ（ＴＸＲＵ）とＭ個の物理アンテナで表現される。このとき、送信側から送信するＬ個のデータ層（Ｄａｔａ  ｌａｙｅｒ）に対するデジタルビームフォーミングはＮ  ｂｙ  Ｌ行列で表現されることができ、この後、変換されたＮ個のデジタル信号はＴＸＲＵを経てアナログ信号に変換された後、Ｍ  ｂｙ  Ｎ行列で表現されるアナログビームフォーミングが適用される。
【００７７】
このとき、図４においてデジタルビーム数はＬ個であり、アナログビーム数はＮ個である。さらに、Ｎｅｗ  ＲＡＴシステムでは、基地局がアナログビームフォーミングをシンボル単位に変更できるように設計して、特定の地域に位置した端末にさらに効率的なビームフォーミングを支援する方法を考慮している。また、図４のように、特定のＮ個のＴＸＲＵとＭ個のＲＦアンテナを１つのアンテナパネル（ｐａｎｅｌ）と定義するとき、Ｎｅｗ  ＲＡＴシステムでは、互いに独立したハイブリッドビームフォーミングが適用可能な複数のアンテナパネルを導入する案まで考慮している。
【００７８】
基地局が複数のアナログビームを活用する場合、各々の端末において信号受信に有利なアナログビームが異なり得るため、基地局は、少なくとも同期信号（Ｓｙｎｃｈｒｏｎｉｚａｔｉｏｎ  ｓｉｇｎａｌ）、システム情報（Ｓｙｓｔｅｍ  ｉｎｆｏｒｍａｔｉｏｎ）、ページング（Ｐａｇｉｎｇ）などに対しては、特定のサブフレーム（ＳＦ）において基地局が適用する複数のアナログビームをシンボルごとに変更することで、全ての端末が受信機会を得るようにするビームスイーピング動作を考慮してもよい。
【００７９】
図５は、ハイブリッドビームフォーミングにおいて、ＢＲＳシンボルにマッピングされたビームの例を示す図である。
【００８０】
図５は、下りリンク（ＤＬ）送信過程において、同期信号とシステム情報について上述したビームスイーピング動作を図式化して示している。図５において、Ｎｅｗ  ＲＡＴシステムのシステム情報がブロードキャスティング方式で送信される物理的リソース（又は物理チャネル）を、ｘＰＢＣＨ（ｐｈｙｓｉｃａｌ  ｂｒｏａｄｃａｓｔ  ｃｈａｎｎｅｌ）と称する。この時、１つのシンボル内で互いに異なるアンテナパネルに属する複数のアナログビームは同時に送信可能であり、アナログビームごとのチャネルを測定するために、図５に示したように、（特定のアンテナパネルに対応する）単一のアナログビームが適用されて送信される参照信号（Ｒｅｆｅｒｅｎｃｅ  ｓｉｇｎａｌ；ＲＳ）であるビーム参照信号（Ｂｅａｍ  ＲＳ；ＢＲＳ）の導入が論議されている。ＢＲＳは複数のアンテナポートに対して定義され、ＢＲＳの各々のアンテナポートは単一のアナログビームに対応する。図５では、ビームを測定するためのＲＳ（Ｒｅｆｅｒｅｎｃｅ  Ｓｉｇｎａｌ）をＢＲＳと称したが、他の名称で称してもよい。このとき、ＢＲＳとは異なり、同期信号又はｘＰＢＣＨは、任意の端末がよく受信するようにアナログビームのグループ内の全てのアナログビームが適用されて送信される。
【００８１】
図６は、異なるニューマロロジー（ｎｕｍｅｒｏｌｏｇｙ）間のシンボル／サブシンボル整列（ａｌｉｇｎｍｅｎｔ）を示す例示的な図である。
【００８２】
Ｎｅｗ  ＲＡＴ（ＮＲ）Ｎｕｍｅｒｏｌｏｇｙ特徴
【００８３】
ＮＲでは、Ｓｃａｌａｂｌｅ  Ｎｕｍｅｒｏｌｏｇｙを支援する方式を考慮している。すなわち、ＮＲのサブキャリア間隔（ｓｕｂｃａｒｒｉｅｒ  ｓｐａｃｉｎｇ）は、（２ｎ×１５）ｋＨｚ、ｎは整数で示して、ｎｅｓｔｅｄ観点においてｓｕｂｓｅｔ又はｓｕｐｅｒｓｅｔ（少なくとも１５、３０、６０、１２０、２４０及び４８０ｋＨｚ）が主なサブキャリア間隔として考慮されている。これにより、同一のＣＰオーバーヘッド比率を有するように調節することで、異なるニューマロロジー間のシンボル又はサブシンボル整列を支援するように設定される。
【００８４】
また、各々のサービス（ｅＭＭＢ、ＵＲＬＬＣ、ｍＭＴＣ）とシナリオ（ｈｉｇｈ  ｓｐｅｅｄなど）によって時間／周波数細分性（ｇｒａｎｕｌａｒｉｔｙ）が動的に割り当てられる構造でニューマロロジーが決定される。
【００８５】
直交化のための帯域幅依存／非依存シーケンス（Ｂａｎｄｗｉｄｔｈ  ｄｅｐｅｎｄｅｎｔ／ｎｏｎ−ｄｅｐｅｎｄｅｎｔ  ｓｅｑｕｅｎｃｅ  ｆｏｒ  ｏｒｔｈｏｇｏｎａｌｉｚａｔｉｏｎ）
【００８６】
ＬＴＥシステムでは、サウンディング帯域幅（ｓｏｕｎｄｉｎｇ  ｂａｎｄｗｉｄｔｈ）によってＳＲＳ設計が異なる。すなわち、長さ２４以下のシーケンスを設計する場合、ｃｏｍｐｕｔｅｒ  ｇｅｎｅｒａｔｅｄシーケンスを使用して、３６（３ＲＢ）以上である場合、Ｚａｄｏｆｆ−Ｃｈｕ（ＺＣ）シーケンスを使用する。ＺＣシーケンスの最大のメリットは、ｌｏｗ  ＰＡＰＲ又はｌｏｗ  Ｃｕｂｉｃ  Ｍｅｔｒｉｃを示して、且つ理想的な自己相関（ａｕｔｏｃｏｒｒｅｌａｔｉｏｎ）と低い交差相関（ｃｒｏｓｓ−ｃｏｒｒｅｌａｔｉｏｎ）の性質を有することである。しかし、このような性質を満たすためには、必要なシーケンスの長さ（サウンディング帯域幅を示す）が同一である必要がある。よって、異なるサウンディング帯域幅を有する端末を支援するためには、異なるリソース領域に割り当てる方法が必要であり、チャネル推定性能の劣化が最小化できるように、ＩＦＤＭＡ  ｃｏｍｂ構造が互いに異なるサウンディング帯域幅を持たせることで、同時送信する端末の直交性を支援する。仮に、小さいサウンディング帯域幅を有する端末に、このようなｔｒａｎｓｍｉｓｓｉｏｎ  ｃｏｍｂ（ＴＣ）構造を使用する場合、直交性を有する最小限のシーケンスの長さ（一般に、長さ２４で示す）よりも小さいシーケンスの長さを有することもあり、ＴＣは２に限定される。同一のサウンディングリソースに同一ＴＣを持たせる場合、直交性を提供する次元（ｄｉｍｅｎｓｉｏｎ）が必要であり、これが循環シフト（Ｃｙｃｌｉｃ  Ｓｈｉｆｔ）を用いたＣＤＭを利用することである。
【００８７】
一方、ＰＡＰＲとｃｏｒｒｅｌａｔｉｏｎ性能がＺＣ系列シーケンスに比べて少し落ちる場合があるが、サウンディング帯域幅には関係なく、リソースマッピングが可能なシーケンスがある。その例として、ＧｏｌａｙシーケンスとＰＮ（Ｐｓｅｕｄｏ  ｒａｎｄｏｍ）シーケンスがある。Ｇｏｌａｙシーケンスの場合、あるシーケンスａ、ｂの各々の自己相関値をＡａ、Ａｂとするとき、この２つの自己相関値の和が以下の条件を満すａ、ｂをＧｏｌａｙ  ｃｏｍｐｌｅｍｅｎｔａｒｙシーケンスペア（ｐａｉｒ）と呼ぶ（Ａａ＋Ａｂ＝δ（ｘ））。
【００８８】
一例として、長さ２６のＧｏｌａｙシーケンスａ、ｂが以下のようであるとき、ａ＝［１  −１  １  １  −１  −１  １  −１  −１  −１  −１  １  −１  １  −１  −１  −１  −１  １  １  −１  −１  −１  １  −１  １］、ｂ＝［−１  １  −１  −１  １  １  −１  １  １  １  １  −１  −１  −１  −１  −１  −１  −１  １  １  −１  −１  −１  １  −１  １］、この２つを連接して全長５２のシーケンスで構成して、両側の４個のＲＥ（Ｒｅｓｏｕｒｃｅ  Ｅｌｅｍｅｎｔ）に０をマッピングするとき、自己相関性能は、図７のように示すことができる。図７は、２６−ｌｅｎｇｔｈ  Ｇｏｌａｙ  Ｃｏｍｐｌｅｍｅｎｔａｒｙ  Ｓｅｑｕｅｎｃｅ  ｐａｉｒの２つを用いた長さ５２の自己相関の性能を示した図である。
【００８９】
図８は、長さ５２のＧｏｌａｙシーケンスにおいて互いに異なるＣＳを有するシーケンス間の交差相関（ｃｒｏｓｓ−ｃｏｒｒｅｌａｔｉｏｎ）を示した図である。
【００９０】
長さ５２で構成したシーケンスに複数のＣＳ（Ｃｙｃｌｉｃ  Ｓｈｉｆｔ）を適用して、複数のＧｏｌａｙシーケンスを生成することができる。互いに異なるＣＳを有するＧｏｌａｙシーケンス間の交差相関は、図８のようである。
【００９１】
図９は、ＺＣ、Ｇｏｌａｙ、ＰＮシーケンスの交差相関（Ｃｒｏｓｓ−ｃｏｒｒｅｌａｔｉｏｎ）とキュービックメトリック（ｃｕｂｉｃ−ｍｅｔｒｉｃ）評価（ｅｖａｌｕａｔｉｏｎ）を示した図である。
【００９２】
ＺＣ、Ｇｏｌａｙ、ＰＮ間の関係を各々のＴＣが１、２、４である場合によるＣＭ（ｃｕｂｉｃ  ｍｅｔｒｉｃ）と交差相関を計算して比較する。評価のための仮定は、以下のようである。
【００９３】
−  サウンディング帯域幅（ｓｏｕｎｄｉｎｇ  ＢＷ）は、それぞれ４、８、１２、１６、２０、２４、３２、３６、４８ＲＢと定める。（ＬＴＥ  ＳＲＳ設計ベース）
【００９４】
−  ＬＴＥシステムのように３０  ｇｒｏｕｐｓ  ｎｕｍｂｅｒ  
2020511037.tif 000019
は以下のように決定して、
2020511037.tif 000020
はセルＩＤに基づいて決定する。このとき、４ＲＢでは１つのベースシーケンスｖを選択して、その他は２つのベースシーケンスナンバーｖを選択する。
【００９５】
−  Ｇｏｌａｙシーケンスの場合、８０２．１６ｍシステムにおける長さ２０４８のｔｒｕｎｃａｔｅｄ  ｂｉｎａｒｙ  Ｇｏｌａｙシーケンスを用いて、ＱＰＳＫ  ＰＮシーケンスをｉｎｄｅｐｅｎｄｅｎｔ帯域幅ＳＲＳ設計の例示とした。このとき、ＺＣシーケンスにおいて３０グループを示すために、Ｇｏｌａｙシーケンスは３０ＣＳを用いて生成して、ＰＮはＭａｔｌａｂベースで３０個のシーケンスを生成して使用する。
【００９６】
−  ＴＣ＝１，２及び４と評価した。
【００９７】
−  キュービックメトリック評価はより良いｒｅｓｏｌｕｔｉｏｎのために、ｏｖｅｒ  ｓａｍｐｌｉｎｇ  ｆａｃｔｏｒ（ＯＳＦ）を８と定める。
【００９８】
図９（ａ）において、交差相関性能はＺＣ＞Ｇｏｌａｙ＞ＰＮシーケンスの順であり、ＣＭ性能はＺＣ＞Ｇｏｌａｙ＞ＰＮの順である。ＵＬ送信のためのＳＲＳシーケンス生成の観点からＬＴＥシステムのようにＺＣ系列が良い性能のように見られるが、サウンディング帯域幅（ｓｏｕｎｄｉｎｇ帯域幅）の各端末の割り当ての自由度を高めるためには、Ｇｏｌａｙシーケンス又はＰＮシーケンスもＮｅｗ  ＲＡＴのＳＲＳシーケンスの候補として排除してはいけない。
【００９９】
端末は、性能（ｃａｐａｂｉｌｉｔｙ）（例えば、ビームフォーミング性能（ｂｅａｍｆｏｒｍｉｎｇ  ｃａｐａｂｉｌｉｔｙ））としてハードウェア的なアンテナ／パネル（ｐａｎｅｌ）構造などを暗示的（ｉｍｐｌｉｃｉｔ）に示すことができる。また、各端末は、基地局によって設定されたポートセット（ｐｏｒｔ  ｓｅｔ）において、状況に応じて、選択的なポートサブセット（ｐｏｒｔ  ｓｕｂｓｅｔ）を選択して送信することができる（ＵＥ  Ｔｘ送信電力が限界環境にある端末が選択的なポートサブセットでさらに高い送信電力で基地局にＳＲＳを送信可能である）。よって、選択されたポートサブセット又は特定ビームのサブセットを示すＳＲＳリソースを適宜に送信可能な設定が必要である。また、一ポートにマッピングされる各端末の送信ビーム（Ｔｘ  ｂｅａｍ）は、上りリンクビームマネージメント（ＵＬ  ｂｅａｍ  ｍａｎａｇｅｍｅｎｔ）ポリシー（例えば、ＵＥ  Ｔｘ  ｂｅａｍ  ｓｗｅｅｐｉｎｇ、ＴＲＰ  Ｒｘ  ｂｅａｍ  ｓｗｅｅｐｉｎｇ、又は、ＵＥ  Ｔｘ  ｂｅａｍ  ｓｗｅｅｐｉｎｇ及びＴＲＰ  Ｒｘ  ｂｅａｍ  ｓｗｅｅｐｉｎｇの両方）に従って、１個又は複数の上りリンク（ＵＬ）送信インスタンス（ｉｎｓｔａｎｃｅ）（一のＵＬ送信インスタンスは、一シンボル又は一ロット（ｓｌｏｔ）で設定可能）に送信できる必要がある。また、ＵＬチャネル推定用として、ＳＲＳ送信の時、特にセルエッジ（ｃｅｌｌ  ｅｄｇｅ）にある端末の場合、送信電力によってＵＥ  Ｔｘ  ｂｅａｍ／ＴＲＰ  Ｒｘ  ｂｅａｍのペア（ｐａｉｒ）によるチャネル推定帯域幅領域が制限されることもあり、Ｆｕｌｌ  ＢＷ送信が求められる際には、同一ペア（ｐａｉｒ）に複数の部分帯域ＳＲＳ送信インスタンスで送信されることができる。このような多様なＮＲシステムのＳＲＳ送信設定に従って、ＳＲＳリソース／ポートマッピングが考慮される必要がある。
【０１００】
ＮＲ  ＲＡＴでは、ＳＲＳは、１つ又は複数のｓｉｎｇｌｅ−ｃａｒｒｉｅｒ  ｆｒｅｑｕｅｎｃｙ  ｄｉｖｉｓｉｏｎ  ｍｕｌｔｉｐｌｅ  ａｃｃｅｓｓ（ＳＣ−ＦＤＭＡ）／ｏｒｔｈｏｇｏｎａｌ  ｆｒｅｑｕｅｎｃｙ−ｄｉｖｉｓｉｏｎ  ｍｕｌｔｉｐｌｅｘｉｎ（ＯＦＤＭ）シンボル上で送信され、このＳＲＳ送信は、１つ以上（例えば、Ｋ＞１）のＳＲＳリソース上で行える。基地局は、ＤＣＩ（Ｄｏｗｎｌｉｎｋ  Ｃｏｎｔｒｏｌ  Ｉｎｆｏｒｍａｔｉｏｎ）（フォーマット）、ＭＡＣ−ＣＥ又は上位層シグナリングによって端末にＳＲＩ（Ｓｏｕｎｄｉｎｇ  ＲＳ  ｉｎｄｉｃａｔｏｒ）（又は、ＳＲＳリソース指示子（ＳＲＳ  ｒｅｓｏｕｒｃｅ  ｉｎｄｉｃａｔｏｒ）など様々に呼ぶことができる）を送信することができる。このＳＲＩは、端末のための各ＳＲＳリソースを指示して、特に、ＳＲＳリソースの数について指示することができる。また、ＳＲＩは、ＳＲＳ送信時に、１つ又は複数のビーム又はポートを指示することができ、ＳＲＳリソース設定に従って端末の互いに異なるＴｘ  ｂｅａｍ又は同一のＴｘ  ｂｅａｍを指すことができる。また、ＵＬは、ＤＬとは異なり、ＰＡＰＲ（ｐｅａｋ−ｔｏ−ａｖｅｒａｇｅ  ｐｏｗｅｒ）、ＣＭ（ｃｕｂｉｃ  ｍｅｔｒｉｃ）が低い値を有するように設計しなければならないという制約があり、他のチャネルとの周波数側で多重化するＦＤＭ方式は、設計する時にできる限り回避した方が好ましい。但し、これは、ＵＬ  ｂｅａｍ  ｍａｎａｇｅｍｅｎｔ又はチャネル推定用として単一ＳＲＳシンボルと共に他のＵＬチャネルが共にＦＤＭされて送信できないことを言うのではない。各端末のＳＲＳ  ＢＷ自由度をＬＴＥシステムのように与えられるようにして、この観点からＵＬチャネル推定の性能を高めるために、ＬＴＥシステムのようにＩＦＤＭＡ構造（即ち、ｔｒａｎｓｍｉｓｓｉｏｎ  ｃｏｍｂ（ＴＣ）値に関する構造）は、維持された方が有利である。この条件下、ＮＲで支援されるＳＲＳポートである１、２、４又は８ポートなどの送信がＳＲＳ送信インスタンスで保証される構造である必要がある。
【０１０１】
図１０は、ＳＲＳ送信スロットが１４個のシンボルからなる場合におけるＳＲＳ送信のための１つ又は複数のＳＣ−ＦＤＭＡ／ＯＦＤＭシンボル位置に関する例示を示す図である。
【０１０２】
図１０は、ＳＲＳがシンボルインデックス１１、１２、１３に対応する連続した３個のＳＣ−ＦＤＭＡ／ＯＦＤＭシンボル上で送信される状況を例示している。図１４は、スロットサイズを１４個のシンボルとして例示しているが、スロットサイズは７個のＳＣ−ＦＤＭＡ／ＯＦＤＭシンボルでも構成できる。ＳＲＳ送信インスタンス（例えば、ＳＲＳ送信スロット）におけるＳＲＳシンボル数を示す設定は、ＳＲＳ送信のトリガリング時に基地局がＤＣＩ、ＲＲＣ（Ｒａｄｉｏ  Ｒｅｓｏｕｒｃｅ  Ｃｏｎｔｒｏｌ）シグナリング又はＭＡＣ−ＣＥなどによって端末に送信することができる。
【０１０３】
ＳＲＳ送信ＢＷ内においてＳＲＳリソースが設定され、全Ｎ個のＳＲＳ送信シンボル内で全Ｎ×Ｊ＝Ｋ個のＳＲＳリソースからなるように設定されることができる。また、ＳＲＳ  ＢＷが連接したＳＲＳ（Ｃｏｎｃａｔｅｎａｔｅｄ  ＳＲＳ）構造であって複数のｌｏｃａｌｉｚｅｄ  ＳＲＳ  Ｕｎｉｔ単位で構成され（即ち、Ｌ個のｌｏｃａｌｉｚｅｄ  ＳＲＳ  ｕｎｉｔ）、全Ｎ個のシンボルがＳＲＳシンボルで設定されるとき、一ＳＲＳリソースがｌｏｃａｌｉｚｅｄ  ＳＲＳ  Ｕｎｉｔ内においてＵ個に設定された場合、Ｎ×Ｌ×Ｕ＝Ｋ（但し、Ｌ×Ｕ＝Ｊ）個になるように設定されることができる。
【０１０４】
１つのＳＲＳリソースには、ＳＲＳ設定に従って、１、２、４、８又はその他の数のポートがマッピングされることができ、ポート間の直交性のために、各ポートは１つのＳＲＳリソースにおいてＦＤＭマッピングされるか、同一のリソース位置で用いるもののＣＤＭマッピングされてもよい。コード分割多重化（ＣＤＭ）を用いるとき、ＺＣ系列は、ＴＣ（Ｔｒａｎｓｍｉｓｓｉｏｎ  Ｃｏｍｂ）／ＣＳ（Ｃｙｃｌｉｃ  Ｓｈｉｆｔ）を用いてもよく、ＰＮ系列は、ＴＣ／ＯＣＣ（Ｏｒｔｈｏｇｏｎａｌ  Ｃｏｖｅｒ  Ｃｏｄｅ）を用いてもよい。ＮＲでは、ＴＣ値は２又は４であり、ＴＣ値はセル固有又は端末固有に基地局が端末に上位層シグナリング（例えば、ＲＲＣシグナリング）、ＭＡＣ−ＣＥＭ又はＤＣＩによって送信することができる。ここで、ＴＣは、各ＳＲＳリソースにマッピングされるシーケンスを独立して設計する場合、サウンディング帯域幅（ＢＷ）内の同一ＳＲＳリソース間の周波数側リソース要素（Ｒｅｓｏｕｒｃｅ  Ｅｌｅｍｅｎｔ，ＲＥ）間隔数で定義されてもよい。よって、各ＳＲＳリソースのマッピングは、ＴＣオフセット（ｏｆｆｓｅｔ）値を互いに異ならせることで設定することができる。この構造のメリットは、与えられたＳＲＳ  ＢＷ内に互いに異なる長さを有するＳＲＳリソース（即ち、各ＳＲＳリソースにマッピングされるシーケンスの長さが相違）を多重化するとき、ＵＬチャネル推定性能の劣化を最小化することができる。また、各ＳＲＳリソース長さに対する自由度を持たせて、各ＳＲＳリソースをマッピングする基準は、各端末ビームフォーミング性能（ＵＥ  ｂｅａｍｆｏｒｍｉｎｇ  ｃａｐａｂｉｌｉｔｙ）（例えば、端末のＴＸＲＵ（ｔｒａｎｓｃｅｉｖｅｒ  ｕｎｉｔ）数、パネル数、アンテナアレイ（ａｒｒａｙ）構成など）に応じて示される一端末のＳＲＳ  ＢＷ内に周波数側に割り当て可能なＳＲＳリソース数Ｍと各リソースにマッピングされるポート数によって様々に構成されるＳＲＳ構造をＴＣ値とＴＣオフセット値で簡単に設定することができる。但し、周波数側の互いに異なるリソース間には、互いに異なるビームが用いられると仮定する。
【０１０５】
一例として、端末の端末ビームフォーミング性能（ＵＥ  ｂｅａｍｆｏｒｍｉｎｇ  ｃａｐａｂｉｌｉｔｙ）に従って端末の同時送信のためのＳＲＳリソース数（Ｍ）＝２として、一ＳＲＳリソース当たりマッピング可能なポート数が８個とすると、基地局は、ＳＲＳリソース当たりマッピング可能なポート数８を考慮して、ＴＣ値を算出して、ＴＣ＝２と設定して、このとき、２つの互いに異なるビームで同時送信のために１つのＳＲＳリソースのＴＣオフセット値は０、他方の１つのＳＲＳリソースのＴＣオフセット値を１と設定した後、ＴＣ値及びＴＣオフセット値を端末に指示することができる。
【０１０６】
以下、ＳＲＳリソース設定とマッピングパターンに関する例示を説明する。
【０１０７】
図１１は、周波数側ＳＲＳリソース設定及びポートマッピングを例示する図である。
【０１０８】
図１１において、（a）は、各ＳＲＳリソース当たりＴＣは８と維持して、そのＳＲＳ  ＢＷにおいて異なる／同一のＴＣ（例えば、ＴＣ＝２，４，８など）を有する端末とのＦＤＭが可能な構造である。各ＳＲＳリソースにマッピングされるシーケンスの長さは、２４（ＢＷ  １６ＲＢ基準）と同様に設定することができる。ＲＢ（Ｒｅｓｏｕｒｃｅ  Ｂｌｏｃｋ）当たり１つのＳＲＳリソースＲＥ数は、１．５ｄｅｎｓｉｔｙ（即ち、１．５ＲＥ／ＲＢ）を有する構造である。
【０１０９】
図１１において、（ｂ）は、各ＳＲＳリソース当たりＴＣは８と維持されるものの、他の端末との多重化のためには、他の端末のＴＣが８と同一である必要があり、ＴＣオフセット値もＳＲＳリソースごとに互いに異なる値に設定する必要がある。各ＳＲＳリソースにマッピングされるシーケンスの長さは２４（ＢＷ  １６ＲＢ基準）と同一である。ＲＢ当たり１つのＳＲＳリソースＲＥ数は、１．５ｄｅｎｓｉｔｙを有する（即ち、１．５ＲＥ／ＲＢ）。
【０１１０】
図１１において、（ｃ）は、互いに異なる長さのＳＲＳリソースを有する場合（例えば、ＳＲＳリソース＃０長さ＝４８、ＳＲＳリソース＃４長さ＝２４）を示す。各ＳＲＳリソース当たりＴＣは８と示す。長さ４８を有するＳＲＳリソースは、ＲＢ当たり１つのＳＲＳリソースＲＥ数は１．５ｄｅｎｓｉｔｙであるが、長さ２４を有するＳＲＳリソースは、ＲＢ当たりＳＲＳリソースＲＥ数は０．７５ｄｅｎｓｉｔｙを有する。但し、１６ＲＢを基準として局部化（ｌｏｃａｌｉｚｅｄ）された形態である。ＳＲＳリソース＃４のシーケンスマッピング開始点は、１６ＲＢ開始点になり得る。
【０１１１】
図１１において、（ｄ）は、ＴＣ＝４であるため、図１１の（ａ）、（ｂ）、（ｃ）に比べて、より良好なＵＬチャネル推定性能を有する。また、ＲＰＦ値が図１１の（ａ）、（ｂ）、（ｃ）の方が低くて、ＣＳ（Ｃｙｃｌｉｃ  Ｓｈｉｆｔ）でさらに多いＳＲＳポートが割り当てられる（ここでは８ポートをマッピングする）。しかし、第２の端末のＳＲＳが第１の端末のＳＲＳ  ＢＷ内においてＦＤＭ方式によって第１の端末のＳＲＳと共に送信されることはできない。第１の端末が割り当てられたＳＲＳ  ＢＷ位置にＵＬチャネル推定を希望する第２の端末がある場合、第２の端末のＳＲＳ送信は、次のＳＲＳ送信インスタントでこそできる。
【０１１２】
図１２は、ＳＲＳリソース固有ＴＣ値設定及びＳＲＳリソースの配置を例示する図である。
【０１１３】
ＴＣ値は、ＳＲＳリソース固有に設定されてもよい。図１２に示すように、４つのＳＲＳリソースが設定されるとき、各ＳＲＳリソースごとに、異なるＴＣ値及びＴＣオフセット値をｉｎｔｒａ−ＳＲＳリソース間、他の端末間にオーバーラップされないように設定される。
【０１１４】
他の実施例として、ＯＣＣを適用する場合を例示する。ＰＮやＧｏｌａｙシーケンスを用いるとき、各々の同一リソースのうち、リソースをグループして、以下の表１２に示した直交カバーコード（ＯＣＣ）値
2020511037.tif 000021
が掛けられた値として送信されることができる。ＯＣＣ値は、１つの連続したＳＲＳリソースに掛けられ、このとき、
2020511037.tif 000022
値は、１つのＳＲＳリソースにマッピングされるポート数と同一である。表１２は、直交カバーコード（ＯＣＣ）の例示として、
2020511037.tif 000023
である場合を示す。
【０１１５】
【表１２】
2020511037.tif 000024
【０１１６】
図１３は、ＯＣＣ
2020511037.tif 000025
の適用を例示する図である。
【０１１７】
図１３は、一ＳＲＳリソース当たりポート数は４つ、シンボル当たりＳＲＳリソース数が４である場合を例示している。図１３のように、ＳＲＳリソース＃０、ＳＲＳリソース＃１の４つのＲＥをグループ化した後、該当ポート
2020511037.tif 000026
によるＯＣＣが掛けられる。
【０１１８】
以下、ＳＲＳリソース設定を含むＳＲＳ設定を行う方法について説明する。
【０１１９】
提案１
【０１２０】
基地局が端末に複数のＳＲＳリソースを設定する場合、ＳＲＳリソース間の多重化方式として、以下の代案（Ａｌｔｅｒｎａｔｉｖｅｓ）を支援するが、各端末のビームフォーミング能力（ｂｅａｍｆｏｒｍｉｎｇ  ｃａｐａｂｉｌｉｔｙ）、パワー能力（ｐｏｗｅｒ  ｃａｐａｂｉｌｉｔｙ）（例えば、ｐｏｗｅｒ  ｂｏｏｓｔｉｎｇ  ｒａｎｇｅ）、及び／又は端末の無線環境（例えば、ｃｅｌｌ−ｃｅｎｔｅｒｅｄ  ＵＥ／ｃｅｌｌ−ｅｄｇｅ  ＵＥ）に応じて、該当端末に対するＳＲＳリソース多重化方式を決定することができる。この場合、基地局は、端末が送信したビームフォーミング能力（ｂｅａｍｆｏｒｍｉｎｇ  ｃａｐａｂｉｌｉｔｙ）、パワー能力（ｐｏｗｅｒ  ｃａｐａｂｉｌｉｔｙ）（例えば、ｐｏｗｅｒ  ｂｏｏｓｔｉｎｇ  ｒａｎｇｅ）、及び／又は端末の無線環境に対する情報に基づいて、ＳＲＳリソース多重化方式を決定することもできる。基地局は、決定されたＳＲＳリソースの多重化方式に対する情報をＳＲＳリソース設定情報に含ませて端末に送信することができる。
【０１２１】
代案１（Ａｌｔ  １）：各ＳＲＳリソースは、スロット（又は、ＳＲＳ送信スロット）内の互いに異なるシンボルの送信において時間分割多重化（ＴＤＭ）方式によって多重化されて送信されることができる。
【０１２２】
代案２（Ａｌｔ  ２）：各ＳＲＳリソースは、スロット（又は、ＳＲＳ送信スロット）内の互いに異なるシンボル及び／又はサブキャリアセット（ｓｕｂｃａｒｒｉｅｒ  ｓｅｔ）においてＴＤＭ方式又は周波数分割多重化（ＦＤＭ）方式によって多重化されて送信されることができる。
【０１２３】
代案３（Ａｌｔ  ３）：各ＳＲＳリソースは、スロット（又は、ＳＲＳ送信スロット）内の同一シンボルの互いに異なるサブキャリアセットにおいてＦＤＭ方式によって多重化されて送信されることができる。
【０１２４】
図１４は、ＳＲＳリソースインデックスセッティングを例示（Ｋ＞＝１）する図である。
【０１２５】
図１４において、図１４（ａ）は、代案１（Ａｌｔ  １）のＳＲＳリソース設定を例示して、図１４（ｂ）は、代案２（Ａｌｔ  ２）のＳＲＳリソース設定を例示（Ｌ＝２，Ｊ＝Ｋ／２）して、図１４（ｃ）は、代案３（Ａｌｔ  ３）のＳＲＳリソース設定を例示している。
【０１２６】
提案２
【０１２７】
端末は、端末性能（例えば、端末ビームフォーミング性能（ＵＥ  ｂｅａｍｆｏｒｍｉｎｇ  ｃａｐａｂｉｌｉｔｙ）情報を基地局に送信することができる。端末性能情報は、一端末の同時送信可能なＳＲＳポート及び同時送信のためのＳＲＳリソース数、又は上りリンクビームの数、端末のＴＸＲＵの数、端末のパネル数に関する情報などを含むことができる。基地局は、端末の性能情報に応じて、端末のＳＲＳリソース設定を行い、端末にＳＲＳリソース設定情報を送信することができる。各ＳＲＳリソース設定には、一スロット内のＳＲＳ送信のためのシンボル数（Ｎ）及び／又は位置、同一ＵＬ  ＴｘビームにマッピングされるＳＲＳシンボル数を示すインデックスＰ又は一スロット内で同一ＵＬ  Ｔｘビームを適用するか、他のビームを適用するかに関する指示子情報、及び一ＳＲＳシンボルにおいてＳＲＳリソース数Ｍ、ＳＲＳリソース当たりマッピングされるポート数（Ｑ）が含まれ得る。Ｎ、Ｍ、Ｐ又は／及びＱ値などは端末性能（例えば、端末ビームフォーミング性能）情報によってその組み合わせに制約が生じる可能性がある。
【０１２８】
端末が同一ＳＲＳビームを複数のＳＲＳシンボルで送信することは、基地局が上りリンク受信ビームをトラッキング（ｔｒａｃｋｉｎｇ）する用途として活用可能にすることである。端末が互いに異なるＳＲＳビームを複数のＳＲＳシンボル上で送信する場合、基地局は複数のＳＲＳシンボル上で送信された互いに異なるＳＲＳビームの中から端末の上りリンク送信ビームを選択することができる。
【０１２９】
【表１３】
2020511037.tif 000027
【０１３０】
表１３を参照すると、端末ビームフォーミング性能情報に端末ビームフォーミング性能インデックスが含まれてもよい。端末ビームフォーミング性能インデックスは、端末の最大送信アンテナポートの数（例えば、ＳＲＳ送信のための端末の最大送信アンテナポートの数）及びＳＲＳリソース多重化方式を指示することができる。例えば、端末ビームフォーミング性能インデックスが「２」であれば、端末の最大送信アンテナポートの数は２であり、ＳＲＳリソース多重化方式は、方式１及び方式２を両方とも支援可能であることを指示することができる。
【０１３１】
提案２−１
【０１３２】
基地局は、端末ビームフォーミング性能の最大送信アンテナポートの数が１である場合、ＳＲＳリソース間ＴＤＭのみを支援（提案１のＡｌｔ  １）して、ＴＤＭ構成に関する情報（ＳＲＳのシンボル数Ｎ、同一ＵＬ  ＴｘビームにマッピングされるＳＲＳのシンボル数を示すインデックスＰ、ＳＲＳのシンボル当たりＳＲＳリソース数Ｍ、ＳＲＳリソース当たりマッピングされるポート数Ｑなど）を端末に提供又は送信することができる。その提供において、基地局は、ＴＤＭ構成を示すインデックスで送信するか、一ＳＲＳシンボルにおいてＳＲＳリソース数Ｍ＝１の値で送信することができる。
【０１３３】
図１５は、表１３の端末ビームフォーミング性能インデックスが０であるときのＳＲＳ設定を例示（Ｋ＝６）する図である。
【０１３４】
基地局が端末ビームフォーミング性能情報において、最大アンテナポートの数が１（表１３のインデックス「０」と報告を受けた場合）である場合、基地局は、この端末のＴＸＲＵ数を１つに認識して、一シンボル当たり送信可能なＳＲＳリソースは１つしかない。このとき、基地局が全体ＳＲＳリソース数Ｋ=６であると決定する場合、上述したＴＤＭ  ｏｎｌｙ（提案１のＡｌｔ  １）構造であることを示す情報をＳＲＳトリガするときに端末に送信して、Ｎ=６、Ｐ=６、Ｍ=１、Ｑ=１値を指示する情報を送信することができる。よって、図１５に示したように、６個のＳＲＳリソースがＴＤＭされて送信され、このとき、各ＳＲＳリソースは、同一送信ビーム（Ｔｘ  ｂｅａｍ）を示す設定である。図１５において、Ｎは、ＳＲＳのシンボル数、Ｐは、同一ＵＬ  ＴｘビームにマッピングされるＳＲＳのシンボル数を示すインデックス、Ｍは、ＳＲＳのシンボル当たりＳＲＳリソース数、Ｑは、ＳＲＳリソース当たりマッピングされるポート数である。
【０１３５】
提案２−２
【０１３６】
端末ビームフォーミング性能において、端末の最大送信ポート数が２以上であり、ＳＲＳリソース間ＴＤＭ／ＦＤＭが支援される端末として指示する場合、基地局はＳＲＳリソース間ＴＤＭ／ＦＤＭを両方支援できるため、最大送信ポート数によって、ＳＲＳリソース間のＴＤＭ  ｏｎｌｙ、ＦＤＭ  ｏｎｌｙ、又はＴＤＭ／ＦＤＭ支援のうちいずれか１つを選択することができる。
【０１３７】
図１６は、端末の最大送信ビームポート数が４つであり、ＳＲＳリソース多重化方式がＴＤＭ  ｏｎｌｙである場合を例示する図である。
【０１３８】
実施例として、端末ビームフォーミング性能において、最大Ｔｘポート数は４であり、ＴＤＭ／ＦＤＭを支援する場合（表１３の端末ビームフォーミング性能インデックス＝４である場合）、基地局がＳＲＳリソース間のＴＤＭ  ｏｎｌｙを選択したとき、ＳＲＳリソースは１つに設定して、そのＳＲＳリソースにマッピングされるポート数は４つに設定する。ＳＲＳリソース数Ｋ＝６である場合、図１５のように送信されることができる。このとき、基地局は、Ｎ＝６、Ｐ＝１、Ｍ＝１、Ｑ＝４に決定して、これを端末に送信することができる。
【０１３９】
この場合、一ＳＲＳシンボルは一ＳＲＳリソースからなり、このとき、ＳＲＳリソースには４つのＳＲＳポートがマッピングされる構造であって、各々のシンボルは互いに異なる送信（Ｔｘ）ビームを示す構造である。
【０１４０】
図１７は、端末の最大送信ビームポート数が４つであり、ＳＲＳリソース間ＦＤＭ  ｏｎｌｙが適用された場合を例示する図である。
【０１４１】
図１７において、図１７（ａ）は、ＳＲＳリソースの数を４と設定した場合を示し、図１７（ｂ）は、ＳＲＳリソースの数を２と設定した場合を示している。
【０１４２】
基地局がＳＲＳリソース多重化方式として、ＳＲＳリソース間ＦＤＭ  ｏｎｌｙの構造又はＦＤＭ及びＴＤＭが結合した構造を選択した場合、一シンボルに多重化可能なＳＲＳリソース数を端末のビームフォーミング性能、即ち、ＴＸＲＵ−ｔｏ−アンテナマッピング方式及び各々のアンテナサブアレイの独立したビームフォーミング可否に基づいて決定することができる。例えば、ＴＸＲＵ−ｔｏ−アンテナマッピング構造がサブアレイ分割（ｐａｒｔｉｔｉｏｎｉｎｇ）構造、即ち、全体のアンテナアレイがサブアレイ単位にグループされ、各サブアレイごとに１つずつＴＸＲＵがマッピングされる構造とするとき、ＴＸＲＵが４つである場合、サブアレイ単位で独立したビーム設定が可能であれば、一シンボルに最大４つのＳＲＳビームがＦＤＭされることができる。この場合、図１７（ａ）のように、各ビームは、１つのＴＸＲＵによって生成されるため、ＳＲＳビーム当たりポート数は１つである（即ち、Ｎ＝１、Ｐ＝１、Ｍ＝４、Ｑ＝１）。  
【０１４３】
また、２つのサブアレイずつ集めてビームフォーミングを適用することもでき、この場合、図１７（ｂ）のように、一シンボルにＦＤＭされるＳＲＳリソースが２つに設定されてもよい。このとき、ビーム当たりＴＸＲＵ数が２であるため、ｎｏｎ−ｐｒｅｃｏｄｅｄ  ＳＲＳポート送信を仮定する場合、各ＳＲＳリソースに２つのＳＲＳポートが送信可能である（例えば、Ｎ=１、Ｐ=１、Ｍ=２、Ｑ=２、ここで、Ｑは、各シンボルのＳＲＳリソース当たりＳＲＳポート数、Ｍは、各ＳＲＳシンボルの多重化されたＳＲＳリソース数である）。
【０１４４】
図１８は、端末の最大送信ビームポート数が４つであり、ＳＲＳリソース間ＴＤＭ及びＦＤＭ方式が結合されて適用される場合を例示する図である。
【０１４５】
図１８（ａ）は、一シンボルにＳＲＳリソースの数を４つに設定した場合を示し、図１８（ｂ）は、一シンボルにＳＲＳリソースの数を２つに設定した場合を示している。
【０１４６】
図１８（ａ）のように、ＳＲＳリソース間ＦＤＭ及びＴＤＭが結合された方式が選択された場合、ＳＲＳリソース数Ｋ＝８であり、一シンボルに割り当てられるＳＲＳリソース数が４である場合、Ｎ＝２、Ｐ＝１、Ｍ＝４、Ｑ＝１に示すことができる。図１８（ｂ）のように、ＳＲＳリソース間ＦＤＭ及びＴＤＭが結合された方式が選択される場合、ＳＲＳリソース数Ｋ＝８であり、一シンボルに割り当てられるＳＲＳリソース数が２である場合、Ｎ＝４、Ｐ＝１、Ｍ＝２、Ｏ＝２に示すことができる。
【０１４７】
提案２−３
【０１４８】
基地局は、端末の端末性能情報よりもＳＲＳ送信設定性能（例えば、Ｎ、Ｐ、Ｍ、Ｑ値）をより低く設定することができる。
【０１４９】
図１９は、ＳＲＳ時間／周波数マッピングの例示（Ｎ＝６、Ｐ＝２、Ｍ＝１、Ｏ＝１）を示す図である。
【０１５０】
端末性能情報よりも基地局が決定したＳＲＳ送信設定（Ｎ、Ｐ、Ｍ、Ｏ）が低く設定された例示を説明する。端末ビームフォーミング性能が表１３のように定義されたとするとき、端末が端末の端末ビームフォーミング性能インデックス４（即ち、最大送信ポート数が４つ、及びＳＲＳリソース間ＴＤＭ／ＦＤＭ設定可能）を基地局に送信したものの、端末ビームフォーミング性能情報を受信した基地局は、基地局自体のＳＲＳ送信ポリシーに従って、より低い端末ビームフォーミング性能に合わせてＮ、Ｐ、Ｍ、Ｑを設定することができる。一例として、図１８に示したように、３  Ｒｘ  ＴＲＰ  ｂｅａｍｓに対するＵＬ  ｂｅａｍ  ｍａｎａｇｅｍｅｎｔのためのＳＲＳ送信設定を指示するために、ＳＲＳ送信シンボル数Ｎ＝６、同一ＴｘビームマッピングＳＲＳシンボル数Ｐ＝２、一シンボル当たりＳＲＳリソース数Ｍ＝１、ＳＲＳリソース当たりポート数Ｑ＝１と設定することができる。よって、端末は、一シンボルに一ポートを適宜に送信することができ、全３×１のビームをＳＲＳインスタンスにおいて示すことができる。ＴＲＰ受信（Ｒｘ）ビームは、連続した２つのＳＲＳシンボルごとにスイーピング（ｓｗｅｅｐｉｎｇ）することになる。
【０１５１】
提案２−４
【０１５２】
端末ビームフォーミング性能よりも基地局が決定したＳＲＳ送信設定性能（例えば、Ｎ、Ｐ、Ｍ、Ｑ値）が高く設定された場合、端末は間違ったＳＲＳ設定と宣言して、基地局に間違ったＳＲＳ設定であることを知らせるメッセージをＰＵＣＣＨ（Ｐｈｙｓｉｃａｌ  Ｕｐｌｉｎｋ  Ｃｏｎｔｒｏｌ  ＣＨａｎｎｅｌ）又はＰＵＳＣＨ（Ｐｈｙｓｉｃａｌ  Ｕｐｌｉｎｋ  Ｓｈａｒｅｄ  ＣＨａｎｎｅｌ）で送信する。このメッセージは、間違ったＳＲＳ設定であることを指示する指示子（例えば、フラグ（ｆｌａｇ））を含むことができる。また、選択的に、このメッセージは、端末の最大可能なＮ１、Ｐ１、Ｍ１、Ｑ１の値及び／又はＮ１、Ｐ１、Ｍ１、Ｑ１のうちサブセットが含められてもよい。基地局がメッセージを受信すれば、ＳＲＳ設定のためのＮ、Ｐ、Ｍ、Ｏ値をＮ≦Ｎ１、Ｐ≦Ｐ１、Ｍ＜＝Ｍ１、Ｏ＜＝Ｏ１になるようにＳＲＳを再設定することができる。
【０１５３】
提案２−５
【０１５４】
端末ビームフォーミング性能よりも基地局が決定した（又は、設定した）ＳＲＳ送信設定性能（例えば、Ｎ、Ｐ、Ｍ、Ｏ値）が高く設定された場合、端末は、端末性能情報による端末の性能を考慮してＳＲＳを送信して、ＳＲＳ送信設定が端末の要求によって変更されたことを知らせるメッセージを基地局に送信することができる。このメッセージには、ＳＲＳ送信設定が端末の要求によって変更されたことを知らせる指示子（例えば、フラグ（ｆｌａｇ）など）が含まれてもよい。選択的に、このメッセージは、変更されたＮ２、Ｐ２、Ｍ２、Ｑ２の値（各Ｎ２、Ｐ２、Ｍ２、Ｑ２などはその端末の最大可能Ｎ１、Ｐ１、Ｍ１、Ｑ１よりは同一か小さい値になる）及び／又はＮ２、Ｐ２、Ｍ２、Ｑ２のうちサブセットを含んでもよい。端末は、このサブセットに該当する値に基づいてＳＲＳ送信を行うことができる。
【０１５５】
図２０は、端末ビームフォーミング性能によって変更されたＳＲＳ送信を例示（Ｎ＝２、Ｐ＝１、Ｍ＝４、Ｑ＝１−＞Ｎ２＝２、Ｐ２＝１、Ｍ２＝１、Ｑ２＝２）する図である。
【０１５６】
図２０を参照すると、端末が端末性能情報を表１３の端末性能情報インデックス１と基地局に報告することができる。このとき、基地局は端末性能情報インデックスを４と間違って認知して、図１９に示すように、Ｎ＝２、Ｐ＝１、Ｍ＝４、Ｑ＝１のようなＳＲＳを設定した。しかし、該端末のビームフォーミング性能インデックスが１であるため、送信可能ポート数は２であり、ＳＲＳリソースはＴＤＭ方式のみで多重化することができるため、端末は、Ｍ２＝１、Ｑ２＝２として、ＳＲＳを設定及び送信して、ＰＵＳＣＨ又はＰＵＣＣＨにおいて変更されたＳＲＳ設定情報であるＭ２＝１、Ｑ２＝２をＳＲＳ送信メッセージに含んで基地局に送信する。基地局は、ＳＲＳを検出する前に、該ＳＲＳ送信メッセージに関するメッセージを取得して、この修正されたＳＲＳ設定に合わせてＳＲＳを検出する。
【０１５７】
提案３
【０１５８】
端末は、ＳＲＳ送信に対する設定のうち、選好方法又は設定を基地局に要求することができる。この要求を指示する要求メッセージ情報は、選好する（ｄｅｓｉｒｅｄ）ＳＲＳリソース多重化方法（例えば、ＳＲＳリソース間のＴＤＭ  ｏｎｌｙ、ＦＤＭ  ｏｎｌｙ、又はＴＤＭ及びＦＤＭの結合方式）及び／又は選好するＳＲＳリソースを多重化する場合、ＳＲＳシンボル数（Ｎ）、同一ビームがマッピングされるシンボル数（Ｐ）、一シンボル当たりＳＲＳリソース数（Ｍ）、ＳＲＳリソース当たりＳＲＳポート数Ｑを指示する情報を含んでもよい。このとき、Ｎ、Ｐ、Ｍ、Ｑのうち少なくとも１つ以上を要求メッセージに含んでもよい。
【０１５９】
一実施例として、送信電力ブーストに限界のある端末（ＰＡ  ｌｉｍｉｔａｔｉｏｎ端末）は、ビームフォーミング性能としてＳＲＳリソース間ＦＤＭが可能な構造を有しているが、ＳＲＳリソース間ＴＤＭ  ｏｎｌｙ構造を求めるメッセージを基地局に送信することができる。よって、基地局は、一ＳＲＳシンボルに一ＳＲＳリソースのみ設定して、端末にＭ＝１を指示することができる。端末は、一シンボル当たり一ＳＲＳリソースからなり、一シンボル当たり一ＳＲＳリソース上においてＳＲＳを送信することができる。
【０１６０】
提案４
【０１６１】
ＵＬチャネル推定用ＳＲＳ送信の際、ＳＲＳシンボル数（Ｎ）、同一ビームマッピングＳＲＳシンボル数（Ｐ）、ＳＲＳシンボル当たりＳＲＳリソース数（Ｍ）、ＳＲＳリソース当たりポート数（Ｑ）と共にＳＲＳ周波数ホッピングパターンも端末の環境に応じて構成することができる。
【０１６２】
セルエッジにある端末が最上の端末送信ビーム／ＴＲＰ受信ビームのペア（ｂｅｓｔ  ＵＥ  Ｔｘ  ｂｅａｍ／ＴＲＰ  Ｒｘ  ｂｅａｍ  ｐａｉｒ）に対する全ＵＬ  ＢＷチャネル推定が求められるとき、基地局は、全ＵＬ  ＢＷ／現時点に送信可能な最大ＳＲＳ  ＢＷだけＰの値を決定して、各シンボル当たり周波数ホッピングパターンを端末に提供して、ＵＬ全帯域チャネル推定を行うように設定する。
【０１６３】
セルエッジにある端末が特定のＵＬ帯域に対する精密なチャネル推定が求められるときには、基地局がＰの値を決定してもよく、周波数ホッピングは行わないように設定してもよい。Ｐの数に応じて、基地局はコンバイニング（ｃｏｍｂｉｎｉｎｇ）の実行を可能にする。
【０１６４】
最上の端末送信ビーム／ＴＲＰ受信ビームのペア（ｂｅｓｔ  ＵＥ  Ｔｘ  ｂｅａｍ／ＴＲＰ  Ｒｘ  ｂｅａｍ  ｐａｉｒ）は、下りリンクビーム管理（ＤＬ  ｂｅａｍ  ｍａｎａｇｅｍｅｎｔ）ＲＳ測定によって相互作用（ｒｅｃｉｐｒｏｃｉｔｙ）特性に基づいて決定されるか、送信されたｎｏｎ−ｐｒｅｃｏｄｅｄ  ＳＲＳに基づいて決定されるか、予め送信された上りリンクビーム管理（ＵＬ  Ｂｅａｍ  ｍａｎａｇｅｍｅｎｔ）ＲＳに基づいて決定されてもよい。
【０１６５】
図２１は、セルエッジ端末の場合、ＵＬ全帯域チャネル推定のためのＮ、Ｐ、Ｍの値の設定を例示する図である。
【０１６６】
図２１は、最上の端末送信ビーム／ＴＲＰ受信ビームのペア（ｂｅｓｔ  ＵＥ  Ｔｘ  ｂｅａｍ／ＴＲＰ  Ｒｘ  ｂｅａｍ  ｐａｉｒ）に対するＵＬ全帯域チャネル推定が必要なときのホッピングパターンを例示する。
【０１６７】
あるネットワークにおいてＵＬ全帯域が２００ＲＢであるとき、リンクバジェット（ｌｉｎｋ  ｂｕｄｇｅｔ）算出によって、送信可能ＵＬ  ＢＷが５０ＲＢである端末がある場合、送信可能ＵＬ  ＳＲＳ  ＢＷを全ＵＬ  ＢＷで除算した結果が整数ではない（例えば、６０ＲＢ）、基地局はＵＬ  ＳＲＳ  ＢＷを５０ＲＢと定めることができる。このとき、端末の端末性能情報インデックスは、表１３において「４」（端末の最大送信ポート数＝４、ＳＲＳリソース間の多重化方式としてＴＤＭ及びＦＤＭの結合方式可能）であることを基地局に報告する。基地局は、ＵＬ全帯域チャネル推定のために、Ｐ＝２００ＲＢ／５０ＲＢ＝４と設定して、２つの最上のビームペア（ｂｅｓｔ  ｂｅａｍ  ｐａｉｒ）のために、ＳＲＳ送信用のシンボル数Ｎを８に、一ＳＲＳシンボル当たりＳＲＳリソース数Ｍを１にそれぞれ設定することができ、以下の表１４において、ホッピングパターン（例えば、周波数ホッピングパターン）インデックス０をＰに対して指示する場合、端末はＳＲＳインスタンスにおいて、図２０のように、ＳＲＳを送信することができる。
【０１６８】
基地局は、周波数ホッピングパターンをビットマップ（ｂｉｔｍａｐ）で端末に直接指示するか、スクランブルシード（ｓｃｒａｍｂｌｅ  ｓｅｅｄ）を用いて初期化して用いることができる。よって、基地局が最上の端末送信ビーム＃０（ｂｅｓｔ  Ｔｘ  ｂｅａｍ  ＃０）と対応する最上のＴＲＰ受信ビームを介して、４つのシンボルのＳＲＳを受信して、次の最上の端末送信ビーム＃１と対応する最上のＴＲＰ受信ビームを介して、次の４つのシンボルのＳＲＳを受信するように設定されることができる。表１４は、Ｐ＝４である場合、（周波数）ホッピングパターンを例示する表である。
【０１６９】
【表１４】
2020511037.tif 000028
【０１７０】
図２２は、ＵＬ特定のリソース領域チャネル推定性能の向上のためのＮ、Ｐ、Ｍの値の設定について例示する図である。
【０１７１】
図２２は、最上の端末送信ビーム／ＴＲＰ受信ビームのペア（ｂｅｓｔ  ＵＥ  Ｔｘ  ｂｅａｍ／ＴＲＰ  Ｒｘ  ｂｅａｍ  ｐａｉｒ）に対する特定のＵＬ帯域チャネルの強化を例示する。Ｎ＝８、Ｐ＝４の場合、端末は、最初の最上の端末送信ビーム／ＴＲＰ受信ビームのペア（ｂｅｓｔ  ＵＥ  Ｔｘ  ｂｅａｍ／ＴＲＰ  Ｒｘ  ｂｅａｍ  ｐａｉｒ）におけるＳＲＳ  ３領域（図２２において「３」と表示された領域）のチャネル推定性能の向上のために、ＳＲＳ  ３領域で４個のシンボルによってＳＲＳを送信して、次の最上の端末送信ビーム／ＴＲＰ受信ビームのペア（ｂｅｓｔ  ＵＥ  Ｔｘ  ｂｅａｍ／ＴＲＰ  Ｒｘ  ｂｅａｍ  ｐａｉｒ）におけるＳＲＳ  ２領域（図２２において「２」と表示された領域）のチャネル推定性能の向上のために、ＳＲＳ  ２領域において４つのＳＲＳシンボルを介してＳＲＳを送信する。この設定のために、Ｐ値によって端末送信ビーム／ＴＲＰ受信ビームペアを維持する必要がある。
【０１７２】
提案５
【０１７３】
基地局は、シグナリングオーバーヘッドを考慮して、ＳＲＳシンボル数（Ｎ）、同一ビームマッピングＳＲＳシンボル数（Ｐ）、シンボル当たり送信ポート数（Ｍ）を以下のようなオプションのうちの１つとして送信することができる。非周期的ＳＲＳトリガリングの場合、基地局は、１）Ｎ、Ｐ、Ｍ、Ｑの値はＤＣＩフォーマットによって送信するか、２）Ｎの値は上位層シグナリング（例えば、ＲＲＣシグナリング）によって送信して、Ｐ、Ｍ、Ｑの値はＤＣＩフォーマットによって送信するか、３）Ｎ、Ｐの値は上位層シグナリングによって送信して、Ｍ、Ｑの値のみＤＣＩフォーマットによって送信するか、４）Ｎ、Ｐ、Ｍの値は上位層シグナリングによって送信して、Ｑの値のみＤＣＩフォーマットによって送信するか、５）Ｗ＝｛Ｎ，Ｐ，Ｍ，Ｑ｝のうちサブセットＺ（サブセットＺは、ｃｏｎｆｉｇｕｒａｂｌｅ）は、ＤＣＩフォーマットによって送信して、サブセットＷ／Ｚは上位層シグナリングによって送信することができる。
【０１７４】
周期的ＳＲＳ送信の場合、基地局は、１）Ｎ、Ｐ、Ｍ、Ｑの値は上位層シグナリングによって送信するか、２）Ｗ＝｛Ｎ，Ｐ，Ｍ，Ｑ｝のうちサブセットＺ（サブセットＺは、ｃｏｎｆｉｇｕｒａｂｌｅ）はＤＣＩフォーマットによって送信して、サブセットＷ／Ｚは上位層シグナリングによって送信することができる。
【０１７５】
半持続的ＳＲＳ（Ｓｅｍｉ−ｐｅｒｓｉｓｔｅｎｔ  ＳＲＳ）の場合、基地局は、１）Ｎ、Ｐ、Ｍ、Ｑの値はＭＡＣ−ＣＥによって送信するか、２）Ｎの値は上位層シグナリングによって送信して、Ｐ、Ｍ、Ｑの値はＭＡＣ−ＣＥによって送信するか、３）Ｎ、Ｐの値は上位層シグナリングによって送信して、Ｍ、Ｑの値はＭＡＣ−ＣＥによって送信するか、４）Ｎ、Ｐ、Ｍの値は上位層シグナリングによって送信して、Ｑの値のみをＭＡＣ−ＣＥによって送信することができる。４）の場合、Ｎ、Ｐ、Ｍの値は、半持続的ＳＲＳ活性化（ａｃｔｉｖａｔｉｏｎ）のための用途として用いられ、非活性化（Ｄｅａｃｔｉｖａｔｉｏｎ）のための指示は、ＤＣＩによって送信されるか、又は非活性化はタイマ（ｔｉｍｅｒ）で動作することができる。基地局は、５）Ｗ＝｛Ｎ，Ｐ，Ｍ，Ｑ｝のうちサブセットＺ（サブセットＺは、ｃｏｎｆｉｇｕｒａｂｌｅ）は、ＤＣＩフォーマットによって送信して、サブセットＷ／Ｚは、上位層シグナリングによって送信することができる。
【０１７６】
図２３は、Ｎ、Ｐ、Ｍ、Ｑの値のための送信設定（ｔｒａｎｓｍｉｓｓｉｏｎ  ｃｏｎｆｉｇｕｒａｔｉｏｎ）を例示する図である。
【０１７７】
図２３（ａ）の場合、基地局（ｇＮＢ）は、非周期的ＳＲＳ設定のためのＮ、Ｐ、Ｍ、Ｑの値をＤＣＩフォーマットによって送信することができる。基地局は、ＤＣＩフォーマットによってＳＲＳ送信を指示して、このとき、Ｎ、Ｐ、Ｍ、Ｑの値もＤＣＩフォーマットによって端末に送信することができる。ＳＲＳがトリガ（ｔｒｉｇｇｅｒｉｎｇ）される度に、基地局は、Ｎ０、Ｐ０、Ｍ０、Ｑ０の値をＤＣＩフォーマットによって送信して、次のＳＲＳがトリガされるとき、Ｎ１、Ｐ１、Ｍ１、Ｑ１をＤＣＩフォーマットによって送信することができる。図２３（ｂ）の場合、基地局は、非周期的ＳＲＳ設定のためのＰ、Ｍ、Ｑの値をＤＣＩフォーマットによって送信することができる。
【０１７８】
以上で説明した本発明の提案及び実施例は、基地局は端末から報告されたビームフォーミング性能、電力送信性能、端末の無線環境を考慮して、ＳＲＳ送信時に、ＳＲＳシンボル数、同一送信ビームがマッピングされるＳＲＳシンボル数、ＳＲＳシンボル当たりの送信ポート数などを設定して、様々なタイプのＳＲＳが送信できるように指示することができる。
【０１７９】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０１８０】
本発明は、本発明の特徴から逸脱しない範囲で別の特定の形態に具体化できるということが当業者にとっては自明である。従って、上記の詳細な説明は、いずれの面においても制限的に解釈してはならず、例示的なものとして考慮しなければならない。本発明の範囲は、添付の請求項の合理的な解釈によって決定すべきであり、本発明の等価的範囲内における変更はいずれも本発明の範囲に含まれる。
【産業上の利用可能性】
【０１８１】
ＳＲＳ設定情報を受信する方法及びそのための端末は、３ＧＰＰ  ＬＴＥ／ＬＴＥ−Ａシステム、５Ｇ通信システムなどのような様々な無線通信システムにおいて産業上利用可能である。
【図１】
2020511037.tif 000029
【図２ａ】
2020511037.tif 000030
【図２ｂ】
2020511037.tif 000031
【図３ａ】
2020511037.tif 000032
【図３ｂ】
2020511037.tif 000033
【図４】
2020511037.tif 000034
【図５】
2020511037.tif 000035
【図６】
2020511037.tif 000036
【図７】
2020511037.tif 000037
【図８】
2020511037.tif 000038
【図９】
2020511037.tif 000039
【図１０】
2020511037.tif 000040
【図１１】
2020511037.tif 000041
【図１２】
2020511037.tif 000042
【図１３】
2020511037.tif 000043
【図１４】
2020511037.tif 000044
【図１５】
2020511037.tif 000045
【図１６】
2020511037.tif 000046
【図１７】
2020511037.tif 000047
【図１８】
2020511037.tif 000048
【図１９】
2020511037.tif 000049
【図２０】
2020511037.tif 000050
【図２１】
2020511037.tif 000051
【図２２】
2020511037.tif 000052
【図２３】
2020511037.tif 000053
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
端末がＳＲＳ（Sounding Reference Signal）を送信する方法であって、
同時送信のために設定され得るＳＲＳリソースの数に関連した情報を受信するステップと、
前記同時送信のために設定され得る前記ＳＲＳリソースの数に関連した前記情報に基づいて、少なくとも一つのＳＲＳリソースで前記ＳＲＳを送信するステップと、を含む、方法。
【請求項２】
前記ＳＲＳは、シンボル内の少なくとも一つのＳＲＳリソースで送信される、請求項１に記載の方法。
【請求項３】
前記ＳＲＳリソースの数が２以上のとき、複数のＳＲＳは、複数のＳＲＳリソースで同時に送信される、請求項１に記載の方法。
【請求項４】
前記端末の性能情報を送信するステップであって、前記性能情報は、前記同時送信のために設定され得る前記ＳＲＳリソースの数を含む、ステップをさらに含む、請求項１に記載の方法。
【請求項５】
前記同時送信のために設定され得る前記ＳＲＳリソースの数は、前記端末の性能情報に基づいて決定される、請求項１に記載の方法。
【請求項６】
前記同時送信のために設定され得る前記ＳＲＳリソースの数に関連した前記情報は、上位層シグナリングを介して受信される、請求項１に記載の方法。
【請求項７】
前記同時送信のために設定され得る前記ＳＲＳリソースの数の最大値は、４である、請求項１に記載の方法。
【請求項８】
基地局がＳＲＳ（Sounding Reference Signal）を受信する方法であって、
同時送信のために設定され得るＳＲＳリソースの数に関連した情報を送信するステップと、
前記同時送信のために設定され得る前記ＳＲＳリソースの数に関連した前記情報に基づいて、少なくとも一つのＳＲＳリソースで前記ＳＲＳを受信するステップと、を含む、方法。
【請求項９】
前記ＳＲＳは、シンボル内の少なくとも一つのＳＲＳリソースで受信される、請求項８に記載の方法。
【請求項１０】
前記ＳＲＳリソースの数が２以上のとき、複数のＳＲＳは、複数のＳＲＳリソースで同時に受信される、請求項８に記載の方法。
【請求項１１】
端末の性能情報を受信するステップであって、前記性能情報は、前記同時送信のために設定され得る前記ＳＲＳリソースの数を含む、ステップと、
前記端末の性能情報に基づいて、前記同時送信のために設定され得る前記ＳＲＳリソースの数を決定するステップと、をさらに含む、請求項８に記載の方法。
【請求項１２】
前記同時送信のために設定され得る前記ＳＲＳリソースの数の最大値は、４である、請求項８に記載の方法。
【請求項１３】
ＳＲＳ（Sounding Reference Signal）を送信する端末であって、
受信器と、
送信器と、
プロセッサと、を含み、
前記プロセッサは、
前記受信器を、同時送信のために設定され得るＳＲＳリソースの数に関連した情報を受信するように制御し、
前記送信器を、前記同時送信のために設定され得る前記ＳＲＳリソースの数に関連した前記情報に基づいて、少なくとも一つのＳＲＳリソースで前記ＳＲＳを送信するように制御するように設定される、端末。
【請求項１４】
前記ＳＲＳは、シンボル内の少なくとも一つのＳＲＳリソースで送信される、請求項１３に記載の端末。
【請求項１５】
前記ＳＲＳリソースの数が２以上のとき、前記プロセッサは、複数のＳＲＳを複数のＳＲＳリソースで同時に送信するように前記送信器を制御するように設定される、請求項１３に記載の端末。
【請求項１６】
前記プロセッサは、前記端末の性能情報を送信するように前記送信器を制御するように設定され、
前記性能情報は、前記同時送信のために設定され得る前記ＳＲＳリソースの数を含む、請求項１３に記載の端末。
【請求項１７】
前記プロセッサは、前記同時送信のために設定され得る前記ＳＲＳリソースの数に関連した情報を、上位層シグナリングを介して受信するように前記受信器を制御するように設定される、請求項１３に記載の端末。
【請求項１８】
前記同時送信のために設定され得る前記ＳＲＳリソースの数の最大値は、４である、請求項１３に記載の端末。
【請求項１９】
ＳＲＳ（Sounding Reference Signal）を受信する基地局であって、
送信器と、
受信器と、
プロセッサと、を含み、
前記プロセッサは、
前記送信器を、同時送信のために設定され得るＳＲＳリソースの数に関連した情報を送信するように制御し、
前記受信器を、前記同時送信のために設定され得る前記ＳＲＳリソースの数に関連した前記情報に基づいて、少なくとも一つのＳＲＳリソースで前記ＳＲＳを受信するように制御するように設定される、基地局。
【請求項２０】
前記プロセッサは、端末の性能情報を受信するように前記受信器を制御するように設定され、
前記性能情報は、前記同時送信のために設定され得る前記ＳＲＳリソースの数を含み、
前記プロセッサは、前記端末の性能情報に基づいて、前記同時送信のために設定され得る前記ＳＲＳリソースの数を決定する、請求項１９に記載の基地局。
【請求項２１】
前記プロセッサは、前記同時送信のために設定され得る前記ＳＲＳリソースの数に関連した情報を、上位層シグナリングを介して送信するように前記送信器を制御するように設定される、請求項１９に記載の基地局。
【国際調査報告】
2020511037.tif 000054
2020511037.tif 000055
2020511037.tif 000056
2020511037.tif 000057
2020511037.tif 000058
2020511037.tif 000059